(57)【特許請求の範囲】
【請求項１】
コンテンツ利用者であるユーザーに対して無料でビデオストリーミング再生を提供するシステムであり、
上記無料のビデオストリーミング再生を妨げることなく、このストリーミング再生動作に従って作動するチップ支払いモジュールを有し、
このチップ支払い処理モジュールは、
コンテンツ提供者であるユーザーが設定インターフェースで前記チップ支払いに対して２以上の特定数のリワードを付与することを設定している場合にのみコンテンツ利用者であるユーザーの設定した金額若しくはデフォルトの金額が前記コンテンツ提供者であるユーザーが設定した最低チップ金額以上であるかを検証してチップの支払いを処理し、それ以外の場合には前記コンテンツ利用者であるユーザーが入力した金額若しくはデフォルトの金額で上記最低チップ金額の検証なしにチップの支払い処理をするものである
ことを特徴とするビデオストリーミング再生システム。
【請求項２】
ビデオストリーミング再生システムであり、
コンテンツ提供者であるユーザーが特定のビデオホスティングサイトにアップロードしたビデオを、インターネットを通して、コンテンツ利用者であるユーザーのコンピュータに表示されたユーザーインターフェース上でストリーミング再生可能に表示させるビデオ再生モジュールと、
上記ビデオ再生モジュールのストリーミング再生動作を妨げることなく、このストリーミング再生動作に従って作動するチップ支払いモジュールと、
前記チップ支払いモジュールによるチップ支払い処理と連動するリワードダウンロードボタン／リンク表示モジュールと
コンテンツ提供者であるユーザーに対して、上記チップ支払いに対して１又は２以上の異なるリワードを設定でき、且つ、２以上の特定数のリワードを付与する場合のみ最低チップ金額を設定できる設定インターフェースを提供する設定モジュールと
を有するものであり、
前記チップ支払いモジュールは、
前記ユーザーインターフェース上にチップ支払いボタン／リンクをアクティブに表示するチップ支払いボタン／リンク表示モジュールと、
コンテンツ利用者であるユーザーが前記アクティブに表示されたチップ支払いボタン／リンクを操作したことに従い、デフォルトの金額若しくはコンテンツ提供者であるユーザーの設定した金額に従い、特定の金額のチップの支払いを処理する支払い処理モジュールと
を有し、
前記支払い処理モジュールは、
前記コンテンツ提供者であるユーザーが前記設定インターフェースで２以上の特定数のリワードを付与することを設定している場合にのみコンテンツ利用者であるユーザーの設定した金額若しくはデフォルトの金額が前記設定された最低チップ金額以上であるかを検証してチップの支払いを処理し、それ以外の場合には前記コンテンツ利用者であるユーザーが入力した金額若しくはデフォルトの金額で上記最低チップ金額の検証なしに支払い処理するものであり、
前記リワードダウンロードボタン／リンク表示モジュールは、
前記コンテンツ提供者であるユーザーが、前記設定により、チップ支払いに対して前記１若しくは２以上の異なるリワードを付与するとしている場合、前記ビデオのチップ支払い処理実行に応じて、前記ユーザーインターフェース上にリワードダウンロードボタン／リンクをアクティブに表示し、前記１若しくは２以上の異なるリワードをコンテンツ利用者であるユーザーのコンピュータにダウンロード／表示可能とするものであり、
前記コンテンツ提供者であるユーザーが、前記設定により、チップ支払いに対して前記１若しくは２以上の異なるリワードの付与を選択していない場合、前記リワードダウンロードボタン／リンクをアクティブに表示しないものである
ことを特徴とするシステム。
【請求項３】
請求項１又は２記載のシステムにおいて
前記リワードは、アップロードしたビデオファイルのダウンロードを少なくとも含むものである
ことを特徴とするシステム。
【請求項４】
請求項１又は２記載のシステムにおいて
前記リワードは、ビデオの音声ファイルのダウンロードを少なくとも含むものである
ことを特徴とするシステム。
【請求項５】
請求項４記載のシステムにおいて、
さらに、
前記コンテンツ提供者としてのユーザーがアップロードしたビデオから音声を抽出することで音声ファイルを生成するコンテンツ変換モジュールを有するものである
ことを特徴とするシステム。
【請求項６】
請求項１又は２記載のシステムにおいて、
さらに、
前記コンテンツ提供者としてのユーザーが、前記ビデオ以外のコンテンツをリワードとしてアップロードできるように構成されている
ことを特徴とするシステム。
【請求項７】
請求項１又は２記載のシステムにおいて
前記最低チップ金額は、前記２以上の特定数以上のリワードが設定されている場合でも、単一の金額のみ設定できるように構成されている
ことを特徴とするシステム。
【請求項８】
請求項７記載のシステムにおいて、
さらに、上記リワードが２以上の特定数選択されていることに基づいて、前記最低チップ金額の入力及び編集ができるように構成されている
ことを特徴とするシステム。
【請求項９】
請求項２記載のシステムにおいて、
前記リワードダウンロードボタン／リンク表示モジュールは、
リワードダウンロードボタン／リンクとして、ダウンロードできるリワードに応じたアイコンを表示するものである
ことを特徴とするシステム。
【請求項１０】
請求項２記載のシステムにおいて、
前記リワードダウンロードボタン／リンク表示モジュールは、
リワードダウンロードボタン／リンクにマウスオバーすることにより、前記ユーザーインターフェースにユーザーであるコンテンツ提供者が設定した１又は２以上の異なるリワードの詳細情報を表示するものである
ことを特徴とするシステム。
【請求項１１】
請求項１０記載のシステムにおいて
前記リワードの詳細情報には、前記コンテンツ提供者が設定した最低チップ金額が表示されるものである
ことを特徴とするシステム。
【請求項１２】
請求項２記載のシステムにおいて、
上記チップ支払いモジュールに加え、上記ビデオ再生モジュールのビデオ再生動作と連動して上記ビデオ再生前及び／若しくは再生中に上記ユーザーインターフェース上に所定の広告を表示する広告表示モジュールを有し、
このシステムは、デフォルト若しくは前記コンテンツ提供者の設定に応じ、上記チップ支払いモジュールを起動するか上記広告表示モジュールを起動するかを決定するものである
ことを特徴とするシステム。
【請求項１３】
請求項１２記載のシステムにおいて、
上記チップ支払いモジュールを起動するか上記広告表示モジュールを起動するか択一的に決定するものである
ことを特徴とするシステム。
【発明の詳細な説明】
【技術分野】
【０００１】
本発明は、ビデオホスティングサービスを提供するビデオストリーミング再生システム及びその方法に関するものである。
【背景技術】
【０００２】
１．  ビデオホスティングウェブサイトの分類
近年、ビデオホスティングウェブサイトは数多くのサービスがあり、その利便性から年々ユーザー数が増えており、社会的にも認知されている。【０００３】
ここで、ビデオホスティングウェブサイトサービスは大きく二つに分類できる。【０００４】
一つはサイト内に広告（ビデオ・画像・音声・テキスト）を配信することにより、ユーザーが無料でビデオを視聴できる「広告収益モデル」のビデオホスティングサイトであり、代表的なサービスとしては、YouTube（登録商標）、Facebook Video、ニコニコ動画（いずれも登録商標）がある。もう一つはユーザーが視聴料を支払う「有料課金モデル」であり、代表的なサービスとしては、NETFLIX、Hulu、Amazonプライムビデオ（いずれも登録商標）がある。【０００５】
２．  広告収益モデルの欠点
まず、一つ目の広告収益モデルでは、ユーザーにとってビデオ視聴は無料であるという利点があるが、ビデオサイト内の広告を不快に感じるという欠点がある。【０００６】
すなわち、ビデオサイト広告の主流は、オンラインターゲティング広告で、ユーザーのビデオ視聴記録、サイト接続のIPアドレスからユーザーの居場所（地理的ロケーション）、年齢、性別などを把握し、それらの情報を基に、サイト運営者は広告主から依頼されたターゲットユーザーへ広告を配信している。そして、これにより、費用対効果の高い広告を打つ仕組みである。【０００７】
しかし、言い換えればユーザーはプライバシー開示・収集の対価として、ビデオを無料で視聴していることになる。また、オンラインターゲティング広告の技術がどんなに進歩しても、ユーザーはビデオを視聴することが目的であり、ビデオ視聴に割って入る広告を不快に感じるのは当然である。【０００８】
さらに、広告収益モデルでは、著作権保持者が明確になっているビデオを含む、全ビデオのユーザー端末へのビデオダウンロード保存を禁じているという問題がある。理由として、ユーザーが自らの端末へビデオをダウンロード保存することはユーザーがオフラインでビデオ視聴が可能になり、費用対効果の高いオンラインターゲティング広告を遮断することを意味し、広告収益の確保が難しくなるからである。【０００９】
実際、YouTubeの場合、広告非表示・ビデオダウンロード保存可能な、別のビデオサービスYouTube Premium（登録商標）を有料（月額）で展開しており、そのことからも広告非表示・ビデオダウンロード保存サービスを提供するには広告収益に代わる有料サービスが必要であることを表している。【００１０】
３．  有料課金モデルの欠点
一方の有料課金モデルでは、ビデオ内容（コンテンツ）を開示せず、視聴者はビデオコンテンツ内容が分からず、ビデオの価値が分かる前に一方的にビデオサイトが決めた金額を支払うように構成されている。このため、ユーザーがビデオコンテンツの価値を判断することが出来ず、一方的な料金の前払いになりフェアな取引とは言えず、ユーザーがリスクを負うことになる。【００１１】
一方、NETLFIX、Hulu、Amazonプライムビデオ、Spotify（いずれも登録商標）に代表される、サブスクリプションサービス（定額有料サービス）がある。このサービスは、サービス利用期間に比例してユーザーの料金負担額がそのまま増える仕組みである。特に同じコンテンツ（動画・音楽など）を視聴し続ける場合、利用期間が長ければ長い程、そのままユーザーの損出が増える形になる。【００１２】
このサブスクリプションサービス（定額有料サービス）はサービス内容やコンテンツに変更がなく、単に料金が値上げされた場合でも、そのまま追加料金を支払う形になり、フェアな取引とは言えないということがある。【００１３】
４．  無料体験等による課金ユーザーの獲得モデルとその欠点
また、従来から、ユーザーに種々の特典を与えて課金ユーザーの獲得を促進するモデルがある。【００１４】
これは、ユーザーに「最初数か月間無料」等の特典を与えるものであるが、最初にユーザーに決済情報を登録させておくのが一般的であり、無料期間中にキャンセルをしない限り、自動的に有料会員になってしまうので、うっかりキャンセルし忘れた場合、意図せず課金が発生してしまうという欠点がある。【００１５】
また、ウェブサービスと物理サービスの組み合わせの、Amazonプライム（登録商標）は、まず有料会員費（年契約/年間料金一括払い若しくは年間料金月額分割払い）の前払いが発生し、その後、対象商品の配送料の無料（物理サービス）とAmazonプライムビデオ、Amazonプライムミュージック（登録商標）など、ウェブサービスの一部コンテンツの利用が可能になる。このサービスは、一見ビデオが無料で提供されているようであるが、結局はプライム会員として会費を払っているのであって、課金モデルである。【００１６】
また、上記のサービスでは、Amazonプライムビデオ、Amazonプライムミュージックの新作・新曲を含む全てのサービスを利用するには、別途各サービスの有料会員になる必要がある。言わば、一部のサービスを無料かのように装って開示して集客し、その後、各有料サービスに引き込む、広告モデルに近い仕組みである。
５．本発明者による提案したシステム
上記のような事情に鑑み、本出願の発明者は、下記の特許文献１、２に開示された発明を先に提案し出願した。【００１７】
これらの提案は、完全に無料のストリーミングでビデオを配信しつつ、それを気に入った視聴者からのチップを受け付けると共に、チップの支払いに応じて当該ビデオのダウンロードを許可するか否かをユーザーが許している場合には、チップのリワードとしてビデオのダウンロードをさせるものである。【００１８】
しかしながら、これらの提案は、リワードとしてビデオのダウンロードを許可するものであり、チップ支払いのインセンティブとしてのフレキシビリティに乏しいということがあった。
【先行技術文献】
【特許文献】
【００１９】
【特許文献１】国際公開第２０１９／０８２４０９号公報
【特許文献２】国際公開第２０１９／０８３０１８号公報
【発明の概要】
【発明が解決しようとする課題】
【００２０】
この発明は、従来技術の課題に鑑みてなされたものであり、コンテンツ利用者にとってもフェアな方法でビデオコンテンツの提供が行え、かつ、ビデオホスティングウェブサイト運営者、コンテンツ提供者にとってよりフレキシブルの高い方法で収益確保が可能な仕組みを提供することを目的とするものである。
【課題を解決するための手段】
【００２１】
上記目的を達成するため、この発明の第１の観点によれば、
（１）  コンテンツ利用者であるユーザーに対して無料でビデオストリーミング再生を提供するシステムであり、
上記無料のビデオストリーミング再生を妨げることなく、このストリーミング再生動作に従って作動するチップ支払いモジュールを有し、
このチップ支払い処理モジュールは、
前記コンテンツ提供者であるユーザーが設定インターフェースで前記チップ支払いに対して２以上の特定数のリワードを付与することを設定している場合にのみコンテンツ利用者であるユーザーの設定した金額若しくはデフォルトの金額が前記コンテンツ提供者であるユーザーが設定した最低チップ金額以上であるかを検証してチップの支払いを処理し、それ以外の場合には前記コンテンツ利用者であるユーザーが入力した金額若しくはデフォルトの金額で上記最低チップ金額の検証なしにチップの支払い処理をするものである
ことを特徴とするビデオストリーミング再生システム、
が提供される。【００２２】
またこの発明の第２の観点によれば、
（２）  ビデオストリーミング再生システムであり、
コンテンツ提供者であるユーザーが特定のビデオホスティングサイトにアップロードしたビデオを、インターネットを通して、コンテンツ利用者であるユーザーのコンピュータに表示されたユーザーインターフェース上でストリーミング再生可能に表示させるビデオ再生モジュールと、
上記ビデオ再生モジュールのストリーミング再生動作を妨げることなく、このストリーミング再生動作に従って作動するチップ支払いモジュールと、
前記チップ支払いモジュールによるチップ支払い処理と連動するリワードダウンロードボタン／リンク表示モジュールと
コンテンツ提供者であるユーザーに対して、上記チップ支払いに対して１又は２以上の異なるリワードを設定でき、且つ、２以上の特定数のリワードを付与する場合のみ最低チップ金額を設定できる設定インターフェースを提供する設定モジュールと
有するものであり、
前記チップ支払いモジュールは、
前記ユーザーインターフェース上にチップ支払いボタン／リンクをアクティブに表示するチップ支払いボタン／リンク表示モジュールと、
コンテンツ利用者であるユーザーが前記アクティブに表示されたチップ支払いボタン／リンクを操作したことに従い、デフォルトの金額若しくはコンテンツ提供者であるユーザーの設定した金額に従い、特定の金額のチップの支払いを処理する支払い処理モジュールと
を有し、
前記支払い処理モジュールは、
前記コンテンツ提供者であるユーザーが前記設定インターフェースで２以上の特定数のリワードを付与することを設定している場合にのみコンテンツ利用者であるユーザーの設定した金額若しくはデフォルトの金額が前記設定された最低チップ金額以上であるかを判断してチップの支払いを処理し、それ以外の場合には前記コンテンツ提供者であるユーザーの設定した金額若しくはデフォルトの金額で上記検証なしに支払い処理するものであり、
前記リワードダウンロードボタン／リンク表示モジュールは、
前記コンテンツ提供者であるユーザーが、前記選択により、チップ支払いに対して前記１若しくは２以上のリワードを付与するとしている場合、前記ビデオのチップ支払い処理実行に応じて、前記ユーザーインターフェース上にリワードダウンロードボタン／リンクをアクティブに表示し、前記特定のリワードをコンテンツ利用者であるユーザーのコンピュータにダウンロード／表示可能とするものであり、
前記コンテンツ提供者であるユーザーが、前記選択により、チップ支払いに対して前記１若しくは２以上のリワードの付与を選択していない場合、前記特定リワードダウンロードボタン／リンクをアクティブに表示しないものである
ことを特徴とするシステム、
が提供される。【００２３】
上記（１）、（２）の発明の構成によれば、コンテンツ利用者であるユーザーが無料でビデオコンテンツをストリーミング視聴することができ、かつ、１又は２以上のリワードのうち、少なくも１つのリワードはユーザーの自由に決めたチップで受け取る事ができ、かつ、２以上の所定数以上のリワードを取得する場合のみ最低チップ金額を設定できる。このことで複数のリワードを設定することによりリワードを充実させてよりチッピングのインセンティブを高めることができると共に、２以上の所定数未満のリワードについてはユーザーの自由な金額設定でチッピングが行えるから、リワードを販売しているのではないことがあきらかでチップであることの意義が明確になる。【００２４】
上記（１）、（２）の発明の他、この発明によれば以下の好ましい実施態様が提供される。【００２５】
（３）  （１）又は（２）記載のシステムにおいて
前記１又は２以上のリワードは、前記アップロードしたビデオファイルのダウンロードを少なくとも含むものである
ことを特徴とするシステム。【００２６】
（４）  （１）又は（２）記載のシステムにおいて
前記１又は２以上のリワードは、ビデオの音声ファイルのダウンロードを少なくとも含むものである
ことを特徴とするシステム。【００２７】
（５）  （４）記載のシステムにおいて、
さらに、
前記コンテンツ提供者としてのユーザーがアップロードしたビデオから音声を抽出することで音声ファイルを生成するコンテンツ変換モジュールを有するものである
ことを特徴とするシステム。【００２８】
（６）  （１）又は（２）記載のシステムにおいて、
さらに、
前記コンテンツ提供者としてのユーザーが、前記ビデオ以外のコンテンツをリワードとしてアップロードできるように構成されている
ことを特徴とするシステム。【００２９】
（７）  （１）又は（２）記載のシステムにおいて
前記チップ最低金額は、前記２以上の特定数以上のリワードが設定されている場合でも、単一の金額のみ設定できるように構成されている
ことを特徴とするシステム。【００３０】
（８）  （７）記載のシステムにおいて、
さらに、上記リワードが２以上の特定数選択されていることに基づいて、前記最低チップ金額の入力及び編集ができるように構成されている
ことを特徴とするシステム。【００３１】
（９）  （１）又は（２）記載のシステムにおいて、
前記リワードダウンロードボタン／リンク表示モジュールは、
リワードダウンロードボタン／リンクとして、ダウンロードできるリワードに応じたアイコンを表示するものである
ことを特徴とするシステム。【００３２】
（１０）  （１）又は（２）記載のシステムにおいて、
前記リワードダウンロードボタン／リンク表示モジュールは、
リワードダウンロードボタン／リンクにマウスオバーすることにより、前記インターフェースにユーザーであるコンテンツ提供者が設定した１又は２以上のリワードの詳細情報を表示するものである
ことを特徴とするシステム。【００３３】
（１１）  （１０）記載のシステムにおいて
前記リワードの詳細情報には、前記コンテンツ提供者が設定した最低チップ金額が表示されるものである
ことを特徴とするシステム。【００３４】
（１２）  （１）又は（２）記載のシステムにおいて、
上記チップ支払いモジュールに加え、上記ビデオ再生モジュールのビデオ再生動作と連動して上記ビデオ再生前及び／若しくは再生中に上記ユーザーインターフェース上に所定の広告を表示する広告表示モジュールを有し、
このシステムは、デフォルト若しくは前記コンテンツ提供者の設定に応じ、上記チップ支払いモジュールを起動するか上記広告表示モジュールを起動するかを決定するものである
ことを特徴とするシステム。【００３５】
（１３）  （１２）記載のシステムにおいて、
上記チップ支払いモジュールを起動するか上記広告表示モジュールを起動するか択一的に決定するものである
ことを特徴とするシステム。
なお、ここに記載した以外の他の特徴については、次の発明を実施するための形態の説明及び図面に明らかにされる。
【図面の簡単な説明】
【００３６】
【図１】図１は、この発明の一実施例に係るビデオホスティングサーバのシステム構成を示す概略図。
【００３７】
【図２】図２は、同じく、チップ支払いモジュールを示す概略図。
【００３８】
【図３】図３は、同じく、ビデオ再生処理を示すフローチャート。
【００３９】
【図４】図４は、同じく、ビデオ再生のインターフェースを示す概略図。
【００４０】
【図５】図５は、同じく、チップ支払い処理を示すフローチャート。
【００４１】
【図６】図６は、決済手段設定画面を示す概略図。
【００４２】
【図７】図７は、ビデオダウンロード処理及びリワード設定処理を示すフローチャート。
【００４３】
【図８】図８は、同じく、ビデオ再生のインターフェースを示す概略図。
【図８Ａ】図８Ａは、同じく、ビデオ再生のインターフェースを示す概略図。
【００４４】
【図８Ｂ】図８Ｂは、同じく、ビデオ再生のインターフェースを示す概略図。
【００４５】
【図９】図９は、ビデオアップロード設定画面を示す概略図。
【００４６】
【図９Ａ】図９Ａは、ビデオアップロード設定画面を示す概略図。
【００４７】
【図９Ｂ】図９Ｂは、ビデオアップロード設定画面を示す概略図。
【００４８】
【図１０】図１０は、同じく、ビデオ再生のインターフェースを示す概略図。
【００４９】
【図１１】図１１は、同じく、リワードのダウンロード工程を示すフローチャート。
【００５０】
【図１２】図１２は、同じく、リワードのダウンロード工程を示すフローチャート。
【００５１】
【図１３】図１３は、同じく、リワードの提供工程を示すフローチャート。
【００５２】
【図１４】図１４は、同じく、リワード最低チップ金額の工程を示すフローチャート。
【００５３】
【図１５】図１５は、同じく、アップロードしたビデオの管理画面を示す模式図。
【００５４】
【図１６Ａ】図１６Ａは、リワード設定画面の設定とチップボタンの表示との関係を示す模式図。
【００５５】
【図１６Ｂ】図１６Ｂは、リワード設定画面の設定とチップボタンの表示との関係を示す模式図。
【００５６】
【図１６Ｃ】図１６Ｃは、リワード設定画面の設定とチップボタンの表示との関係を示す模式図。
【００５７】
【図１６Ｄ】図１６Ｄは、リワード設定画面の設定とチップボタンの表示との関係を示す模式図。
【００５８】
【図１６Ｅ】図１６Ｅは、リワード設定画面の設定とチップボタンの表示との関係を示す模式図。
【００５９】
【図１６Ｆ】図１６Ｆは、リワード設定画面の設定とチップボタンの表示との関係を示す模式図。
【００６０】
【図１７】図１７は、ビデオ再生のインターフェースを示す概略図。
【００６１】
【図１８】図１８は、チップの受け取り明細を示す模式図。
【００６２】
【図１９】図１９は、チップの支払い明細を示す模式図。
【発明を実施するための形態】
【００６３】
以下、本発明の一実施形態を説明する。
図１は、この一実施形態にかかるシステム構成を示す図である。
【００６４】
１．システム・サーバー構成
ビデオホスティングウェブサイト１００（本発明のシステム）は、ユーザーインターフェースを提供するフロントエンドサーバー１１０と、ビデオ再生及びチップ支払い処理を処理するバックエンドとして、ビデオ提供モジュール１２０、ビデオ取り込みモジュール１２１ 、ビデオ分析モジュール１２２、チップ支払いモジュール１２３、広告表示モジュール１２４、リワード提供オプション制御モジュール１２５、ビデオデータベース１３０、ユーザーデータベース１３１、ビデオ音声データベース１３２、ビデオ分析データベース１３３、保留ビデオデータベース１３４、エクストラリワードデータベース１３５、リワード最低チップ金額データベース１３６、を含む種々のデータベースを備えている。
【００６５】
なお、ファイアウォール、ロードバランサー、アプリケーションサーバ、認証サーバ、障害迂回サーバ、サイト管理ツール等の多くの従来の公知の機能は、本発明の特徴を曖昧にさせないためにこの実施形態では示していないが、適宜設けることができるのは当然である。
【００６６】
また、フロントエンドサーバー１１０及び各モジュール１２０〜１２５は、ビデオホスティングウェブサイト１００を構成するコンピュータ上で実行されるプログラムとして実装され、このプログラムがインストールされたコンピュータのＣＰＵによってメモリ上に展開されて適宜実行されることで、本発明の各構成要素を構成するようになっている。また、上記サーバプログラムがインストールされたコンピュータは、ネットワークインターフェース、周辺インターフェース、および他の周知の構成要素を備えるサーバークラスのコンピュータであることが好ましい。例えば、当該コンピュータは、概して高性能なＣＰＵ、メモリのディスク格納装置をもつ、Linux（登録商標）等のオペレーティングシステムで作動するものである。
【００６７】
もちろん、他の種類のコンピュータを使用することができ、さらに強力なコンピュータが将来開発されたとき、本明細書に従って構成することができると予測される。いずれかの要素により実装される機能を、コンピュータが読取り可能な有形の記憶媒体（例えば、ＲＯＭ、ＲＡＭ、ハードディスク、ＳＳＤ、または光磁気媒体）内に格納されているコンピュータープログラム製品で提供することもできる。
【００６８】
ビデオホスティングウェブサイト１００は、ネットワーク１５０を介してユーザーである、コンテンツ提供者（個人、企業、団体）端末１４０、及び視聴者（個人、企業、団体）端末１４１に接続されている。コンテンツ提供者端末１４０と、視聴者端末１４１（コンテンツ利用者）は、コンピュータや携帯端末等であり、ブラウザ１７０を実行して、ネットワーク１５０を介してフロントエンドサーバー１１０に接続する。ネットワーク１５０は典型的にはインターネットであるが、ＬＡＮ、ＭＡＮ、ＷＡＮ、移動体、有線または無線のネットワーク、プライベートネットワーク、セルラーネットワーク（例えば、ロングタームエボリューション（ＬＴＥ）ネットワーク）、ＣＤＮ（コンテンツデリバリーネットワーク）または仮想的なプライベートネットワークの任意の組合せを含む。また、限定はしない任意のネットワークにすることもできるネットワーク１５０を経由して、フロントエンドサーバー１１０に接続できる。
【００６９】
図１ではコンテンツ提供者端末１４０、視聴者端末１４１（コンテンツ利用者）、ユーザーＩＤ１６０、そしてブラウザ１７０、を単一に示しているが、言うまでもなく、非常に多く（例えば、数百万人）のユーザーをサポートし、いつでもビデオホスティングウェブサイト１００と通信させることができる。
【００７０】
また、図１ではコンテンツ提供者端末１４０と視聴者端末１４１を分けて表示しているが、同一のユーザーがコンテンツ提供者兼視聴者であっても良く、その場合、上記端末１４０、１４１は同じ端末ということになる。
【００７１】
端末１４０、１４１には多様な異なるコンピュータ装置を含めてもよい。端末１４０、１４１の例としては、パソコン、ラップトップコンピューター、スマートフォン、タブレット、情報端末、携帯情報端末、携帯電話、移動電話などがある。当該分野の技術は言うまでもなく、上記装置に限定されない。
【００７２】
ブラウザ１７０には、ユーザーがワールドワイドウェブ上のウェブページにアクセスできる任意のアプリケーションを含めることができる。適切なアプリケーションは、Apple社のSafari（商標登録）、Google社のChrome（商標登録）、Android（商標登録）、Microsoft社のEdge（商標登録）、Internet Explorer（登録商標）、またはワールドワイドウェブ上のウェブページにアクセスできるよう適合したスマートフォン、タブレット専用アプリケーションソフトウェアを含む任意のアプリケーションである。ブラウザ１７０には、適切なビデオプレーヤー、例えば、ＨＴＭＬ５プレーヤー、Adobe Systems社のFlash（いずれも登録商標）、またはビデオホスティングウェブサイト１００で用いられる、ビデオフィルムフォーマットに適合する任意の他のプレーヤーも含まれる。代替として、ブラウザ１７０とは別の独立型プログラムがビデオにアクセスしてもよい。
【００７３】
前記端末１４０、１４１のユーザーを含む全ての登録ユーザーの記録は前記ビデオホスティングウェブサイト１００のユーザーデータベース１３１に登録・保存されている。ビデオホスティングウェブサイト１００は、このユーザーデータベース１３１により全ての登録ユーザーの記録を維持する。登録ユーザーの記録の中には、氏名、ユーザー名、チャンネル名、パスワード、Emailアドレス、チップ決済情報（クレジットカード番号、オンラインペイメント情報等）、チップ支払い設定、チップ受け取り情報（銀行口座等）、チップ支払い記録、チップ受け取り記録、ビデオ視聴記録、ビデオアップロード記録、ビデオアップロード設定、リワード設定、エクストラリワード設定、リワード最低チップ金額設定、著作記録、違反記録、広告設定情報（アップロードしたビデオで広告収入を得たいか否か、及びその設定）が格納される。
【００７４】
また、ビデオホスティングウェブサイト１００に登録せずに単にビデオを視聴するだけのユーザーの記録も含まれる。
【００７５】
２．サイト登録とユーザーＩＤ
ビデオホスティングウェブサイト１００に限らず、ウェブサービスのユーザー登録に関してEmailアドレス、電話番号、SNS登録アカウント(Facebook等)で、ユーザーを特定し、その後、正式な氏名・性別・住所・決済情報・ユーザー名、チャンネル名等、サイトサービス利用に必要事項を入力しサイトへ登録するのが一般的である。サイト登録後、ユーザーはＩＤ（識別子）１６０が付与され、ビデオホスティングウェブサイト１００におけるサービスを受けることが可能になる。
【００７６】
このサイト登録とＩＤ１６０の取得方法に関しては、今日のウェブサイト登録に関して一般化されており、本システムの特徴をあいまいにさせないために示していない。なお、将来的に他のウェブサイト登録・ＩＤ取得方法が発明されたとしても、ユーザーＩＤでユーザーが識別される方法であれば、本システムとつなげることが可能である。
【００７７】
３．サイト未登録ユーザー
ビデオホスティングウェブサイト１００に未登録のユーザーも、ビデオ視聴は可能だが、チップの支払い、チップの受け取り、ビデオアップロード、ビデオダウンロード（リワード）、ビデオ音声ダウンロード（リワード）、エクストラリワードデータのアップロード、エクストラリワードの受け取り、リワード最低チップ金額の設定、ビデオ評価、コメントの投稿などのサービスはビデオホスティングウェブサイト１００に登録し、ユーザーＩＤ１６０が必要なため、ビデオホスティングウェブサイト１００の運営者はフロントエンドサーバー１１０にあるユーザーインターフェース（図示しない）を通じて、未登録ユーザー対してサイトへの登録を案内し、サイト登録を促す。
【００７８】
４．ビデオアップロード
ビデオホスティングウェブサイト１００の登録ユーザー（ユーザーＩＤ１６０取得済み）は、コンテンツ提供者になることができ、コンテンツ提供者はデジタルコンテンツをビデオホスティングウェブサイト１００にアップロードする場合、コンテンツ提供者端末１４０を起動し、ネットワーク１５０を介し、フロントエンドサーバー１１０により生成されたビデオ設定用のユーザーインターフェース９００を通してビデオ取り込みモジュール１２１に接続するようになっている。
【００７９】
このユーザーインターフェース９００へは、例えば図４に示すビデオ閲覧インターフェース中のビデオ「Upload」ボタン４０１をクリックすることでアクセスすることができる。
【００８０】
コンテンツ提供者がユーザーインターフェース中のビデオ「Upload」ボタン４０１クリックすると、ビデオホスティングウェブサイト１００へのログインの有無を確認する。ログインしているコンテンツ提供者については、ユーザーＩＤ１６０を特定し、非ログインコンテンツ提供者についてはログインページを表示し（図示せず）、ログインさせユーザーＩＤ１６０を特定する。なお、ビデオホスティングウェブサイト１００の未登録ユーザーは、ユーザー登録ページ（図示せず）へ導かれ、ユーザー登録を行いユーザーＩＤ１６０取得後、ログイン時にユーザーＩＤ１６０を特定する。
【００８１】
後で詳しく説明するように、図９のユーザーインターフェース９００に示すユーザーインターフェース９０１は、ビデオの保存場所を選択若しくはファイルをドロップダウンすることによりアップロードするビデオデータを指定でき、さらに、ビデオタイトル、説明文、タグ、カテゴリーを指定できるようになっている。
【００８２】
また、そのビデオでチップを受け取るか否か：チップ受取有無の選択（Yes/No）９０２、チップ受取件数を表示するか：チップカウント表示有無の選択（Yes/No）９０３、チップを支払ったユーザーにそのビデオのダウンロードを許可（リワード付与）するか：ビデオダウンロードリワード有無の選択（Yes/No）９０４、チップを支払ったユーザーにそのビデオの音声ダウンロードを許可（リワード付与）するか：ビデオ音声ダウンロードリワード有無の選択（Yes/No）９０５、広告料を受け取るか：広告収益有無の選択（Yes/No）９０６、チップを支払ったユーザーにエクストラリワードを付与するか：エクストラリワード有無の選択（Yes/No）９０７、リワード付与に関してリワード最低チップ金額を設定するか：リワード最低チップ金額有無の選択（Yes/No）９１６、を選択し指定できるようになっている。
【００８３】
このインターフェースで、Submit Nowボタン９１８が押されると、ビデオ取り込みモジュール１２１は上記９０１で指定されたビデオデータをアップロードし、ビデオデータベース１３０へ格納し、ユーザーデータベース１３１の記録が更新されると共に保存される。
【００８４】
また、上記ユーザーインターフェース９００で指定されたオプション設定により、関連するモジュールが動作するが、このオプション設定と動作は後で詳しく説明する。
【００８５】
前記ビデオ取り込みモジュール１２１は、アップロードされたビデオにＩＤ（識別子）を割り当てて初期処理を実行する。この処理にはフォーマット変換（エンコーディング、トランスコーディング）、圧縮処理も含まれる。また、ユーザーＩＤ１６０、ビデオＩＤ、ユーザーインターフェースで設定されたチップ支払い設定、そして、ビデオタイトル、説明文、タグ、カテゴリー、言語、配信地域制限、年齢制銀、ビデオ時間の長さ等のメタデータをタグ化するデータ処理も含まれる。
【００８６】
アップロードされるデジタルコンテンツアイテムとしては、例えば、ビデオ、オーディオ、またはビデオとオーディオの組合せが含まれる。代替として、デジタルコンテンツアイテムは、ＪＰＥＧ、ＰＮＧ、ＧＩＦファイル、またはテキストファイル等の静止画でもよい。
【００８７】
もちろん、ライブビデオ（ストリーミングデータ）であってもよい。簡便さと一実施形態の説明のために、アップロードしたデジタルコンテンツアイテムを「ビデオ」、「ビデオファイル」、「ビデオデータ」または「ビデオアイテム」と呼ぶが、これらの用語で、アップロードできるデジタルコンテンツアイテムの種類を制限することは意図していない。
【００８８】
その後、ビデオ分析モジュール１２２が、上記タグ化されたメタデータを分析する。この分析にはビデオ分析データベース１３３に蓄積されたビデオホスティングウェブサイト１００が定めた規定に反する、禁止用語、暴力、セクシャルコンテンツ等を照合し、著作権もチェックする。
【００８９】
このビデオ分析データベース１３３は、これまで規定に違反したビデオメタデータを蓄積しており、またビデオホスティングウェブサイト１００の運営者が独自に入手している著作権情報も蓄積している。
【００９０】
加えて、ビデオホスティングウェブサイト１００にユーザーとして登録されている、映画会社、音楽レーベル、テレビ局、アーティスト、そして楽曲の著作権保持者の情報がメタ化され蓄積されており、著作侵害もチェックする。分析後、問題のないビデオはコンテンツ提供者のユーザーＩＤ１６０と関連付けられ、ビデオデータはビデオデータベース１３０に格納されると同時にユーザーデータベース１３１の記録が更新され保存される。
【００９１】
問題があると判明したビデオは保留ビデオデータベース１３４に格納され、ビデオホスティングウェブサイト１００の運営者が再度ビデオをチェックし、問題がなければ、コンテンツ提供者のユーザーＩＤ１６０と関連付けられ、ビデオデータはビデオデータベース１３０に格納されると同時にユーザーデータベース１３１の記録が更新され保存される。
【００９２】
問題があるビデオに関してはビデオホスティングウェブサイト１００の運営者が確認後削除され、この問題があったビデオのメタ情報はコンテンツ提供者のユーザーＩＤ１６０と共にビデオ分析データベース１３３に格納され違反データとして蓄積すると共にユーザーデータベース１３１に当該コンテンツ提供者のユーザーＩＤ１６０のユーザー違反履歴も更新する。
【００９３】
ビデオ著作は非常に複雑な権利で成り立っており、ビデオ分析モジュール１２２とビデオ分析データベース１３３では、全ての著作違反を検出するは難しいのが実状である。よって、最終的にはビデオホスティングウェブサイト１００の運営者による巡回によるチェックと、外部通報によって個別に対応し、場合によっては該当ビデオの削除やユーザーＩＤ１６０の凍結、削除を行う。
【００９４】
５．ビデオ視聴
視聴者は視聴者端末１４１上でブラウザ１７０を実行しフロントエンドサーバー１１０に接続することでコンテンツ提供者端末１４０からアップロードされた、ビデオデータベース１３０に格納してあるビデオを視聴することができる。
【００９５】
ここで、視聴者は、視聴者端末１４１上で、フロントエンドサーバー１１０により表示される図４のインターフェースを通して、カテゴリー別、視聴数順、評価順、そして視聴者の設定及びビデオ視聴履歴に基づき掲載されているビデオを選び視聴するか、フロントエンドサーバー１１０にある、ビデオ検索システムに検索ワードを入力し、ビデオデータベース１３０に格納・配信されているビデオのメタデータと視聴者が入力した検索ワードに一致したビデオ（タイトル・説明文・アーティスト名・タグ等）を検索結果として表示する。このことで、視聴者は視聴者端末１４１上でビデオを選び視聴することができる。視聴者が特定のビデオを選択した場合、ビデオ提供モジュール１２０にそのビデオＩＤが送られ、ビデオデータベース１３０からビデオデータを取り出し、ビデオ提供モジュール１２０がビデオデータを視聴者端末１４１に配信し、ビデオを視聴することができる。
【００９６】
なお、このビデオ選択方法と検索方法は既にビデオホスティングウェブサイトサービスでは一般化しており、本システムの特徴を曖昧にさせないために示していない。
【００９７】
また、特定の視聴者端末１４１によるビデオ視聴回数はこのビデオ提供モジュール１２０によって記録され、当該視聴者のユーザーＩＤ及び当該ビデオに関連付けて前記ビデオデータベース１３０に蓄積されるようになっている。
【００９８】
６．ビデオ再生とチップ支払いモジュール
図２は、図１に図示したチップ支払いモジュール１２３のブロック図である。
【００９９】
図２に図示した実施形態では、チップ支払いモジュール１２３は、チップ支払いボタン/リンク表示モジュール２００、チップ支払い処理モジュール２０１、ビデオダウンロードボタン/リンク表示モジュール２０２、ビデオ音声モジュール２０３、エクストラリワードモジュール２０４、リワード最低チップ金額モジュール２０５、チップ収益モジュール２０６を備える。
【０１００】
図３は視聴者端末１４１でのビデオ選択・指定動作と連動する、チップ支払いモジュール１２３の処理を示したフローチャートである。 
視聴者がビデオを視聴するため、ビデオを選択し指定すると（ステップ３０１）、チップ支払いボタン/リンク表示モジュール２００がビデオの指定を検出し作動し（ステップ３０２）、リワード提供オプション制御モジュール１２５へ前記ビデオアップロード用のユーザーインターフェース９００で行ったチップ受取有無の選択９０２について支払いを受ける（Yes)に指定されていることを確認し（ステップ３０３）、それに基づき、図４に示すようにチップ支払いボタン４００をアクティブに表示し（ステップ３０４）、視聴者がチップを支払える状態になる。
【０１０１】
なお、このとき、リワード提供オプション制御モジュール１２５は、その他のコンフリクトする報酬支払手段、例えばこの実施例では広告表示モジュール１２４がこのシステムにインストールされているので、この広告表示モジュール１２４の動作を停止若しくは起動しないようにして広告（インストリーム広告を含む全ての広告）が表示されないように制御する。
【０１０２】
すなわち、この実施形態では、前記リワード提供オプション制御モジュール１２５は、上記チップ受取有無の選択９０２の設定（Yes若しくはNo）に基づき、前記チップ支払いボタン/リンク表示モジュール２００と広告表示モジュール１２４を択一的に動作させるように制御している。
【０１０３】
なお、この広告表示モジュール１２４は、ユーザーの登録情報に基づいて、当該ユーザーがアップロードしたビデオの再生に連動してビデオ上に広告（インストリーム広告など）を表示するものであり、その構成は、既存の広告収益モデルのビデオホスティングウェブサイトのものと同一でよい。
【０１０４】
また、この広告表示モジュール１２４が動作する場合、例えば、図４のビデオ「Upload」ボタン４０１の横に示すように、「Ads OFF」のボタン４０２を設けて、リワード提供オプション制御モジュール１２５が広告表示モジュール１２４の動作を停止させるように制御し、それによりリワード提供オプション制御モジュール１２５がチップ支払いボタン/リンク表示モジュール２００を起動させるように制御し、ビデオホスティングウェブサイト１００単位で設定しても良い。
【０１０５】
また、同図に示すように、チップ支払いボタン/リンク表示モジュール２００が動作している場合（チップ支払いボタン４００アクティブ）には、リワード提供オプション制御モジュール１２５が「Ads ON」ボタン４０３を表示させ、これを押すことによって、上記とは反対にリワード提供オプション制御モジュール１２５はチップ支払いボタン/リンク表示モジュール２００の動作を停止させ、チップ支払いボタン４００を非表示（インアクティブ）にし、それにより広告表示モジュール１２４を起動するように構成しても良い。
【０１０６】
この場合、連動するチップ受取有無の選択９０２と広告収益有無の選択９０６は前記と同様に択一的に動作させ、広告表示モジュール１２４が起動し、広告収益有無の選択９０６が有り（Yes）に指定され、チップ受取有無の選択９０２、チップカウント表示有無の選択９０３、ビデオダウンロードリワード有無の選択９０４、ビデオ音声ダウンロードリワード有無の選択９０５、エクストラリワード有無の選択９０７、リワード最低チップ金額有無の選択９１６は強制的に否（No）に指定されインアクティブになり、コンテンツ提供者はこの選択と指定が不可能にするようにリワード提供オプション制御モジュール１２５が制御する。これにより、「Ads OFF」のボタン４０２で、広告表示モジュール１２４の動作を停止させ、択一的に動作するチップ支払いボタン/リンク表示モジュール２００が動作する場合、チップ受け取り設定９０２が強制的に許可（Yes）に指定され、広告収益有無の選択９０６は否（No）に強制的に指定され、コンテンツ提供者はこの選択と指定が不可能になるようにリワード提供オプション制御モジュール１２５が制御する。
【０１０７】
これにより、インストリーム広告を含む全ての広告が非掲載のビデオホスティングウェブサイトとなる。この場合（広告非掲載/ 広告収益有無の選択９０６否/No）、コンテンツ提供者はチップ支払いビデオに対して、ビデオダウンロードリワード有無の選択９０４、ビデオ音声ダウンロードリワード有無の選択９０５、エクストラリワード有無の選択９０７、リワード最低チップ金額有無の選択９１６、の付与/有り（Yes）若しくは非付与/無し（No）の選択と指定が可能になる。なお、このリワードの設定と動作は後程、詳しく説明する。
【０１０８】
ついで、視聴者が視聴者端末１４１上で前記チップ支払いボタン４００（図４）をクリックすると、チップ支払い処理モジュール２０１がチップ支払い要求を受け作動し（ステップ３０５）、このチップ支払い処理モジュール２０１はビデオＩＤ、ユーザーＩＤ１６０、チップ支払い設定、チップ支払い決済設定、チップ支払い金額設定をマッピングし（ステップ３０６）、チップ支払い詳細確認画面（図示せず）を視聴者端末１４１に返す（ステップ３０７）。
【０１０９】
視聴者が視聴者端末１４１上でチップ支払い詳細を確認し、チップ支払い確認ボタン（図示せず）をクリックすると、前記チップ支払い処理モジュール２０１がその確認信号を受信し（ステップ３０８）、当該視聴者装置１４１によるのチップ支払い決済承認プロセスを開始する（ステップ３０９）。
【０１１０】
ここで、当該視聴者のチップ支払い設定が、クレジットカード払いもしくは電子ペイメント等の場合、前記チップ支払い処理モジュール２０１は、決済承認要求を決済会社に送り、決済会社から決済承認を得る（ステップ３１０）。
【０１１１】
なお、決済承認が不可能の場合、決済エラーメッセージ（図示せず）を視聴者端末１４１上に表示する。
【０１１２】
チップ支払い決済承認が完了すると、チップ支払い完了通知を視聴者端末１４１上に表示する（ステップ３１１）、そして同時にチップ支払いＩＤ（ステップ３１２）を発行し、ユーザーＩＤ１６０とビデオＩＤと関連付けし、ユーザーデータベース１３１とビデオデータベース１３０の情報を更新し保存する（ステップ３１３）。
【０１１３】
図５は、前記図３のチップ支払いモジュール１２３の処理フローに付随する視聴者のチップ支払い設定に伴う、チップ支払い処理を示したフローチャートである。
【０１１４】
視聴者が視聴者装置１４１上でアクティブ表示になったチップ支払いボタン４００（図４）をクリックすると（ステップ５０１）、ステップ５０２に進み前記チップ支払い処理モジュール２０１が、視聴者端末１４１に対してビデオホスティングウェブサイト１００へのログインの有無を確認する。
【０１１５】
そして、ログインしている視聴者装置１４１については、ユーザーＩＤ１６０を特定し、非ログイン視聴者装置１４１についてはステップ５０３に進みログインを行わせ、同様にユーザーＩＤ１６０を特定する。なお、ビデオホスティングウェブサイト１００の未登録ユーザーは、ユーザー登録ページ（図示せず）へ導かれ、ユーザー登録を行い、ユーザーＩＤ１６０を取得した後、ログインを行うようにする。
【０１１６】
次に、ステップ５０４で、前記チップ支払い処理モジュール２０１が、視聴者によるチップ支払い決済設定を確認する。チップ支払い決済設定済み視聴者はステップ５０６へ送られ、チップ支払い決済設定が未設定な視聴者は５０５へ送られ、チップ支払い決済設定を図６に示すユーザーインターフェース６００にある、クレジットカード・電子ペイメント支払い６０４の決済手段を設定後、ステップ５０６へ送られる。
【０１１７】
前記チップ支払い決済設定用ユーザーインターフェース６００では、上段に、チップ支払いボタン４００の１回当たりのチップ支払いを設定する部分があり、下段にその支払い方法を設定する部分６０４がある。
【０１１８】
チップ支払いボタン４００の１回当たりのチップ支払い設定は、オートマチックチップ支払い設定６０１もしくはマニュアルチップ支払い設定６０３のどちらかを選択し指定する。
【０１１９】
オートマチックチップ支払い設定６０１はチップ支払いボタン４００の１回（１クリック）当たりのチップ支払額を予め設定しておき、その金額を固定額に設定する。入力ボックス６０２に通貨を選択し金額を入力して固定額に設定する。
【０１２０】
マニュアルチップ支払い設定６０３はチップ支払いボタン４００をクリックする毎に手動で、チップ支払い通貨と金額を入力し、その都度チップ支払い金額を決定する。
【０１２１】
下段６０４では、クレジットカードもしくは電子ペイメント（例：PayPalなど）を選択し設定し、決済情報を入力する。全ての選択と入力が完了し、Save the settingsボタン６０５を押すと、チップ支払いボタン/リンク表示モジュール２００が作動し、チップ支払いボタン４００の支払い設定をユーザーデータベース１３１に保存する。
【０１２２】
なお、視聴者は上記チップボタン４００のチップ支払い設定完了後も、ユーザーアカウントページ（図示せず）にログインし、チップ支払い設定ボタン（図示せず）から前記ユーザーインターフェース６００にアクセスし、チップ支払いボタン４００の設定確認と変更が可能である。
【０１２３】
ステップ５０６では、前記チップ支払い処理モジュール２０１が、視聴者によって設定されたチップ支払いボタン４００の設定を確認する。
【０１２４】
オートマチックチップ支払い設定６０１と付随する１クリック当たりの金額設定６０２を設定済みの視聴者はステップ５０８へ送られる。マニュアルチップ支払い設定６０３を設定した視聴者はステップ５０７へ送られ、チップ支払い金額を入力し、入力後ステップ５０８へ送られる。
【０１２５】
ステップ５０８では、前記チップ支払い処理モジュール２０１が、視聴者端末１４１上にチップ支払い詳細確認画面を表示する（図示せず）。視聴者がチップ支払い詳細を確認し、チップ支払い確認ボタンをクリックすると（ステップ５０９）、チップ支払い完了画面が表示され、チップの支払いが完了する（ステップ５１０）。
【０１２６】
そして、チップ支払い処理モジュール２０１は、上記ビデオデータベース１３０にアクセスし、当該ビデオについてのチップ支払いの情報（日付、金額、その他）を更新する。
【０１２７】
なお、ステップ５０１で、視聴者がチップ支払いボタン４００をクリックしない場合、チップ支払い処理モジュール２０１は作動しない。また、ユーザーインターフェース９００のチップ受取有無の選択９０２で、コンテンツ提供者がチップの受け取りを拒否している場合（Noに指定）リワード提供オプション制御モジュール１２５がそれを検出し制御し、チップ支払いボタン４００は表示されず、チップ支払いモジュール１２３は作動しない。
【０１２８】
７．リワード設定ユーザーインターフェースの制御
前項「４．ビデオアップロード」工程においてコンテンツ提供者端末１４０に提供されるユーザーインターフェースの制御について説明する。
【０１２９】
この発明では、前記リワード提供オプション制御モジュール１２５が設けられており、このリワード提供オプション制御モジュール１２５は、図９に示したユーザーインターフェース９００において、前記チップ受取有無の選択９０２と、チップカウント表示有無の選択９０３、ビデオダウンロードリワード有無の選択９０４、ビデオ音声ダウンロードリワード有無の選択９０５、エクストラリワード有無の選択９０７、リワード最低チップ金額有無の選択９１６、とが互いに連動するように動作させる。
【０１３０】
具体的には、リワード提供オプション制御モジュール１２５は、前記チップ受取有無の選択９０２を許可（Yes）に指定した場合のみ、チップカウント表示有無の選択９０３、ビデオダウンロードリワード有無の選択９０４、ビデオ音声ダウンロードリワード有無の選択９０５、エクストラリワード有無の選択９０７をアクティブに表示し、その選択と指定を可能にし、チップ受取有無の選択９０２否（No）に指定した場合には、チップカウント表示有無の選択９０３、ビデオダウンロードリワード有無の選択９０４、ビデオ音声ダウンロードリワード有無の選択９０５、エクストラリワード有無の選択９０７、リワード最低チップ金額有無の選択９１６はアクティブにならず、その選択と指定を不可能にする。
【０１３１】
すなわち、リワード提供オプション制御モジュール１２５は、コンテンツ提供者がチップ受取有無の選択９０２を許可（Yes）に指定した場合、広告料の受け取りはチップ受け取りとコンフリクトする報酬受け取り手段であるため、前記広告収益有無の選択９０６は否（No）に設定すると共に選択できないようにインアクティブにする。
【０１３２】
このことにより、該ビデオに対しては広告表示（インストリーム広告を含む全ての広告）が非表示になる。すなわち、この発明のリワード提供オプション制御モジュール１２５は、チップ受取有無の選択９０２の設定（Yes若しくはNo）に基づき、チップ受取有無の選択９０２と広告収益有無の選択９０６とを択一的に動作させるようになっている。
【０１３３】
また、前記の通り、前記リワード提供オプション制御モジュール１２５は、コンテンツ提供者がチップ支払いを許可したビデオに対してのみ、リワードとしてビデオのダウンロード付与、ビデオ音声のダウンロード付与、エクストラリワードの付与、リワード付与の最低チップ金額の設定、若しくはビデオのダウンロード非付与、ビデオ音声のダウンロード非付与、エクストラリワードの非付与、リワード付与の最低チップ金額の非設定、をユーザーインターフェース９００で選択と指定、設定するようになっている。
【０１３４】
また、リワード最低チップ金額有無の選択９１６とビデオダウンロードリワード有無の選択９０４、ビデオ音声ダウンロードリワード有無の選択９０５、エクストラリワード有無の選択９０７は連動しており、これらのリワードのうち２つ以上（請求項１で言う２以上の特定数に対応）のリワード付与（Yes）が指定された場合のみ、リワード最低チップ金額有無の選択９１６がアクティブに表示され、その選択と設定が可能になる。エクストラリワード有無の選択９０７は複数のリワード付与の設定が可能なため、エクストラリワードのみ２つ以上（２以上の特定数）のリワードを付与した場合も、リワード最低チップ金額有無の選択９１６はアクティブに表示され、その選択と設定が可能になる。
【０１３５】
また、これらのリワードのうち１つ（単数）のみリワード付与（Yes）が指定された場合、リワード最低チップ金額有無の選択９１６はアクティブに表示されず、その選択と設定は不可能になる。このリワード最低チップ金額の制御はビデオダウンロードリワード、ビデオ音声ダウンロードリワード、エクストラリワードを販売商品やサービス販売でなく、リワード（特典）として明確に定義するのが目的である。この理由については後程、詳しく説明する。
【０１３６】
以下、上記ビデオアップロードに関連するオプション設定と、リワード提供オプション制御モジュール１２５の動作を図７のフローチャートを参照にしてさらに詳しく説明する。
【０１３７】
まず、ステップ７０１で、コンテンツ提供者が例えば図４に示すユーザーインターフェースで、ビデオ「Upload」ボタン４０１クリックすると、前記リワード提供オプション制御モジュール１２５は、コンテンツ提供者がすでにログインしているかを確認し（７０２）、ログインしていない場合にはログインさせると共に、ログインしている場合には、当該ユーザーのＩＤ１６０に基づいて所定のユーザーインターフェース９００（図９）を表示する（ステップ７０３）。
【０１３８】
なお、ここでは図示しないが、ビデオホスティングウェブサイト１００の未登録ユーザーは、ユーザー登録ページ（図示せず）へ導かれ、ユーザー登録を行い、ユーザーＩＤ１６０取得後、ログイン時にユーザーＩＤを特定する（７０２）。
【０１３９】
ユーザーインターフェース９００を表示し（ステップ７０３）、アップロードするビデオデータを９０１で指定する。前記ユーザーインターフェース９００のデフォルト表示では、前記リワード提供オプション制御モジュール１２５は、コンテンツ提供者が選択できる複数のオプション９０２，９０３、９０４、９０５、９０６、９０７、９１６のうち、チップ受取有無の選択９０２、チップカウント表示有無の選択９０３、ビデオダウンロードリワード有無の選択９０４、ビデオ音声ダウンロードリワード有無の選択９０５、エクストラリワード有無の選択９０７をアクティブにし、広告収益有無の選択９０６は否（No）に指定され選択できないようにインアクティブにする（ステップ７０３）。
【０１４０】
そして、この実施形態では、前記アクティブなオプション９０２，９０３、９０４、９０５、９０７、はいずれも付与/有り/Ｙｅｓが選択・指定され、９１６は複数のオプションが指定されたことによりアクティブになり、有り（Yes）に指定されている。そして、強制的に広告収益有無の選択９０６は否（No）に指定されインアクティブな状態となっている。
【０１４１】
次に、コンテンツ提供者が端末１４０上で上記チップ受取有無の選択９０２を否（Ｎｏ）に変更した場合には、ステップ７０４、７０５でそのことが検出され、ユーザーインターフェース９００の表示が更新される（ステップ７０６）。
【０１４２】
すなわち、この場合には、チップカウント表示有無の選択９０３、ビデオダウンロードリワード有無の選択９０４、ビデオ音声ダウンロードリワード有無の選択９０５、エクストラリワード有無の選択９０７、リワード最低チップ金額有無の選択９１６をインアクティブにし、代わりに広告収益有無の選択９０６を選択できるようにアクティブにする。
【０１４３】
広告収益有無の選択９０６は前述したようにデフォルトでは否（Ｎｏ）が選択されている。
【０１４４】
なお、コンテンツ提供者が一旦上記チップ受取有無の選択９０２を否（Ｎｏ）に変更した後、再び有り（Ｙｅｓ）に変更した場合には、そのことがステップ７０４、７０５で検出され、ステップ７０７に示すように、ユーザーインターフェース９００の表示が更新される。
【０１４５】
すなわち、この場合、チップ受取有無の選択９０２と、チップカウント表示有無の選択９０３、ビデオダウンロードリワード有無の選択９０４、ビデオ音声ダウンロードリワード有無の選択９０５、エクストラリワード有無の選択９０７をアクティブにし、広告収益有無の選択９０６は否（No）に設定され選択できないようにインアクティブにされる。
【０１４６】
ついで、リワード提供オプション制御モジュール１２５は、ユーザーのオプション選択を待ち（ステップ７０８）、Submit Nowボタン９１８が押されると（ステップ７０９）、ビデオ取り込みモジュール１２１は上記９０１で指定されたビデオデータをアップロードし、ビデオデータベース１３０へ格納し、ユーザーデータベース１３１の記録が更新されると共に保存される（ステップ７１０）。同時にリワード提供オプション制御モジュール１２５は、前記コンテンツ提供者が選択した上記オプション設定を確認し、上記オプション設定により、各オプションのモジュールが作動し、各オプションのデータと各オプションの設定は各データベースに格納し、同時にオプション設定はユーザーデータベース１３１にも格納し、記録が更新されると共に保存される（ステップ７１０）。なお、各オプション設定及び動作は後程、オプション毎に詳しく説明する。
【０１４７】
このような構成によれば、チップ受取有無の選択９０２を許可（Yes）に設定した場合、前記ビデオダウンロードリワード有無の選択９０４、ビデオ音声ダウンロードリワード有無の選択９０５、エクストラリワード有無の選択９０７がアクティブになり、チップ支払い対象ビデオに対して、当該ビデオのビデオダウンロードリワード付与、ビデオ音声ダウンロードリワード付与、エクストラリワード付与の設定、若しくは当該ビデオのビデオダウンロードリワード非付与、ビデオ音声ダウンロードリワード非付与、エクストラリワード非付与を選択し設定することが可能になる（ステップ７０３、７０７）。
【０１４８】
８．ビデオダウンロードリワード
本発明にはビデオダウンロードリワード機能が設けられており、コンテンツ提供者は前記ユーザーインターフェース９００で、ビデオダウンロードリワード有無の選択９０４付与（Yes）若しくは非付与（No）の選択と指定が可能になっている。前記の通り、リワード提供オプション制御モジュール１２５はコンテンツ提供者が、チップ受取有無の選択９０２を許可（Yes）に指定した場合のみ、ビデオダウンロードリワード有無の選択９０４をアクティブに表示し、その選択と指定を可能にし、広告収益有無の選択９０６は強制的に否（No）に指定されると共に選択できないようにインアクティブに設定される。
【０１４９】
また、チップ受取有無の選択９０２を否（No）に指定した場合には、リワード提供オプション制御モジュール１２５はビデオダウンロードリワード有無の選択９０４を強制的に非付与（No）に指定すると共に選択できないようにインアクティブにし、広告収益有無の選択９０６は可（Yes）に指定される。
【０１５０】
以下、ビデオダウンロードリワード有無の選択９０４の設定と動作を、図７のフローチャートを参照にしてさらに詳しく説明する。
【０１５１】
前項同様にコンテンツ提供者がビデオ「Upload」ボタン４０１をクリックし（ステップ７０１）、ログインしユーザーＩＤ１６０を特定する（ステップ７０２）。コンテンツ提供者がビデオダウンロードリワード有無の選択９０４を付与（Yes）に指定し（ステップ７０７）、コンテンツ提供者のオプション選択を待ち（ステップ７０８）、Submit Nowボタン９１８が押され（ステップ７０９）、その設定が保存された場合（ステップ７１０）、上記オプションを制御するリワード提供オプション制御モジュール１２５が作動し、チップ受取有無の選択９０２を許可（Yes）とビデオダウンロードリワード有無の選択９０４付与（Yes）に指定されたことを検出し、リワード提供オプション制御モジュール１２５はチップ支払いボタン/リンク表示モジュール２００へ伝達し、ユーザーインターフェースに当該ビデオのチップ支払いボタン４００を生成し（図８）、リワード表示（REWARDS）８００とビデオダウンロードリワード表示８０１が表示される。
【０１５２】
これにより、視聴者は、端末１４１上でチップ支払い前に当該ビデオがビデオダウンロードリワード付きであることの確認が可能になる。
【０１５３】
ビデオダウンロードリワード有無の選択９０４を非付与（No）に指定し、その設定が保存された場合（ステップ７１０）、リワード提供オプション制御モジュール１２５はそれを検出し制御し、図８のユーザーインターフェースに当該ビデオのチップ支払いボタン４００にリワード表示（REWARDS）８００とビデオダウンロードリワード表示８０１がされず、これにより、視聴者は当該ビデオにビデオダウンロードリワードが付与されていないことの確認が可能になる。
【０１５４】
９．ビデオダウンロード保存
図１１はチップ支払いと連動する、ビデオダウンロードリワードのダウンロード保存を示したフローチャートである。
【０１５５】
視聴者が図１０のチップ支払いボタン４００にリワード表示（REWARDS）８００とビデオダウンロードリワード表示８０１がされている、チップ支払いボタン４００からチップの支払いを完了すると、チップ支払い処理モジュール２０１からチップ支払い完了信号を受けたリワード提供オプション制御モジュール１２５が作動し（ステップ１１０１）、９００のオプション設定：チップ受取有無の選択９０２許可（Yes）、ビデオダウンロードリワード有無の選択９０４付与（Yes）を確認する（ステップ１１０２）。
【０１５６】
ビデオダウンロードリワード有無の選択９０４付与（Yes）の場合、リワード提供オプション制御モジュール１２５はビデオダウンロードボタン/リンク表示モジュール２０２へ要求信号を送り作動し（ステップ１１０３）、ビデオダウンロードボタン/リンク表示モジュール２０２は、当該ビデオデータをビデオデータベース１３０に確認し、ビデオＩＤ、ユーザーＩＤ１６０、チップ支払いＩＤをマッピングし（ステップ１１０４）、ビデオダウンロードボタン１００１を生成し、ダウンロード可能なファイルサイズと共にリワード提供ユーザーインターフェース１０００（図１０）にビデオダウンロードボタン１００１を表示する（ステップ１１０５）。
【０１５７】
視聴者がビデオダウンロードボタン１００１をクリックすると（ステップ１１０６）、ビデオダウンロードボタン/リンク表示モジュール２０２はダウンロード要求信号を受け指示された当該ビデオァイルをビデオデータベース１３０から取り出し、視聴者へ送信し（ステップ１１０７）、視聴者は端末１４１へ該ビデオのビデオダウンロード保存を行う（ステップ１１０８）。当該ビデオダウンロードが完了すると、ビデオダウンロード完了画面が表示される（ステップ１１０９）。
【０１５８】
前記ステップ１１０２で、ビデオダウンロードリワード有無の選択９０４を非付与（No）に指定し、その設定が保存されている場合、ユーザーインターフェースに当該ビデオのチップ支払いボタン４００は生成され表示されるが、リワード提供オプション制御モジュール１２５が９００のオプション設定：チップ受取有無の選択９０２を許可（Yes）、ビデオダウンロードリワード有無の選択９０４非付与（No）を検出し制御し、当該ビデオのチップ支払いボタン４００にリワード表示（REWARDS）８００とビデオダウンロードリワード表示８０１が表示されず、視聴者は当該ビデオにビデオダウンロードリワードが付与されていないことの確認が可能になる。
【０１５９】
この場合、視聴者が当該ビデオのチップ支払いボタン４００からチップを支払っても、チップ支払い処理モジュール２０１からチップ支払い完了信号を受けたリワード提供オプション制御モジュール１２５がチップ受取有無の選択９０２を許可（Yes）、ビデオダウンロードリワード有無の選択９０４非付与（No）を検出し制御し（ステップ１１０２）、ビデオダウンロードボタン/リンク表示モジュール２０２は作動せず、ビデオダウンロードボタン１００１は生成されず、視聴者の端末１４１に当該ビデオのビデオダウンロード保存は不可能になる。
【０１６０】
なお、コンテンツ提供者はビデオアップロード後も、自己のコンテンツ提供者端末１４０からユーザーアカウントページ（図示せず）にログインしManage Videosボタン（図示せず）からユーザーインターフェース１５００にアクセスし、１５０１からビデオ毎に設置されているユーザーインターフェース９００にアクセスし、チップ受取有無の選択９０２、チップカウント表示有無の選択９０３、ビデオダウンロードリワード有無の選択９０４、ビデオ音声ダウンロードリワード有無の選択９０５、広告収益有無の選択９０６、エクストラリワード有無の選択９０７、リワード最低チップ金額有無の選択９１６の確認と設定の変更が可能である。
【０１６１】
１０．ビデオ音声ダウンロードリワード
本実施形態では、ビデオ音声ダウンロードリワード機能が設けられており、コンテンツ提供者は前記ユーザーインターフェース９００で、ビデオ音声ダウンロードリワード有無の選択９０５付与（Yes）若しくは非付与（No）の選択と指定が可能になっている。前記の通り、リワード提供オプション制御モジュール１２５はコンテンツ提供者が、チップ受取有無の選択９０２を許可（Yes）に指定した場合のみ、ビデオ音声ダウンロードリワード有無の選択９０５をアクティブに表示し、その選択と指定を可能にし、広告収益有無の選択９０６は強制的に否（No）に指定されると共に選択できないようにインアクティブに設定される。
【０１６２】
また、チップ受取有無の選択９０２を否（No）に指定した場合には、リワード提供オプション制御モジュール１２５はビデオ音声ダウンロードリワード有無の選択９０５を強制的に非付与（No）に指定すると共に選択できないようにインアクティブにし、広告収益有無の選択９０６は可（Yes）に指定される。
【０１６３】
以下、ビデオ音声ダウンロードリワード有無の選択９０５の設定と動作を、図７のフローチャートを参照にしてさらに詳しく説明する。
【０１６４】
前項同様にコンテンツ提供者が自己の端末１４０上でビデオ「Upload」ボタン４０１をクリックし（ステップ７０１）、ログインしユーザーＩＤ１６０を特定する（ステップ７０２）。コンテンツ提供者がビデオ音声ダウンロードリワード有無の選択９０５を付与（Yes）に指定し（ステップ７０７）、コンテンツ提供者のオプション選択を待ち（ステップ７０８）、Submit Nowボタン９１８が押され（ステップ７０９）、その設定が保存された場合（ステップ７１０）、上記オプションを制御するリワード提供オプション制御モジュール１２５が作動し、チップ受取有無の選択９０２を許可（Yes）とビデオ音声ダウンロードリワード有無の選択９０５付与（Yes）に指定されたことを検出し、ビデオ音声モジュール２０３へ伝達し作動する。
【０１６５】
ビデオ音声モジュール２０３はビデオデータベース１３０に格納されている当該ビデオデータから音声データを抜き出し、MP3、FLAC、Vorbis、WAV、AACなど、最適な音声ファイルへフォーマット変換処理（エンコーディング、トランスコーディング）、圧縮処理をおこないファイル化し、ビデオ音声ＩＤ（識別子）を割り当て、ビデオＩＤ、ユーザーＩＤ１６０とマッピングし、オプション設定と共にビデオ音声データベース１３２に格納し、ユーザーデータベース１３１を更新して保存する。
【０１６６】
そして、ビデオ音声モジュール２０３はリワード提供オプション制御モジュール１２５へ当該ビデオ音声がファイル化された完了信号を送り、リワード提供オプション制御モジュール１２５はチップ支払いボタン/リンク表示モジュール２００へ伝達し、ユーザーインターフェースに当該ビデオのチップ支払いボタン４００を生成し（図８）、リワード表示（REWARDS）８００とビデオ音声ダウンロードリワード表示８０２が表示される。
【０１６７】
これにより、視聴者はチップ支払い前に当該ビデオがビデオ音声ダウンロードリワード付きであることの確認をすることが可能になる。
【０１６８】
ビデオ音声ダウンロードリワード有無の選択９０５を非付与（No）に指定し、その設定が保存された場合（ステップ７１０）、リワード提供オプション制御モジュール１２５はそれを検出し制御し、図８のユーザーインターフェースに当該ビデオのチップ支払いボタン４００にリワード表示（REWARDS）８００とビデオ音声ダウンロードリワード表示８０２がされず、これにより、視聴者は当該ビデオにビデオ音声ダウンロードリワードが付与されていないことの確認が可能になる。
【０１６９】
１１．ビデオ音声ダウンロード保存
図１２はチップ支払いと連動する、ビデオ音声ダウンロードリワードのダウンロード保存を示したフローチャートである。
【０１７０】
視聴者が、図１０のリワード表示（REWARDS）８００とビデオ音声ダウンロードリワード表示８０２が表示されている、チップ支払いボタン４００からチップの支払いを完了すると、チップ支払い処理モジュール２０１からチップ支払い完了信号を受けたリワード提供オプション制御モジュール１２５作動し（ステップ１２０１）、９００のオプション設定：チップ受取有無の選択９０２許可（Yes）、ビデオ音声ダウンロードリワード有無の選択９０５付与（Yes）を確認する（ステップ１２０２）。
【０１７１】
ビデオ音声ダウンロードリワード有無の選択９０５付与（Yes）の場合、リワード提供オプション制御モジュール１２５はビデオ音声モジュール２０３へ要求信号を送り作動し（ステップ１２０３）、ビデオ音声モジュール２０３は、当該ビデオ音声データをビデオ音声データベース１３２に確認し、ビデオ音声ＩＤ、ビデオＩＤ、ユーザーＩＤ１６０、チップ支払いＩＤをマッピングし（ステップ１２０４）、ビデオ音声モジュール２０３はビデオ音声ダウンロードボタン１００２を生成し、ダウンロード可能なファイルサイズと共にリワード提供ユーザーインターフェース１０００にビデオ音声ダウンロードボタン１００２を表示する（ステップ１２０５）。
【０１７２】
そして、視聴者がビデオ音声ダウンロードボタン１００２をクリックすると（ステップ１２０６）、ビデオ音声モジュール２０３は指示された当該ビデオ音声ファイルをビデオ音声データベース１３２から取り出し、視聴者端末１４１へ送信し（ステップ１２０７）、視聴者は視聴者端末１４１へ当該ビデオのビデオ音声のダウンロード保存を行う（ステップ１２０８）。
【０１７３】
当該ビデオ音声のダウンロードが完了すると、ビデオ音声ダウンロード完了画面が表示される（ステップ１２０９）。
【０１７４】
前記ステップ１２０２で、ビデオ音声ダウンロードリワード有無の選択９０５を非付与（No）に指定し、その設定が保存されている場合、ユーザーインターフェースに当該ビデオのチップ支払いボタン４００は生成されるが（図１０）、リワード提供オプション制御モジュール１２５が９００のオプション設定：チップ受取有無の選択９０２を許可（Yes）、ビデオ音声ダウンロードリワード有無の選択９０５非付与（No）を検出し制御し、当該ビデオのチップ支払いボタン４００にリワード表示（REWARDS）８００とビデオ音声ダウンロードリワード表示８０２は表示されず、視聴者は当該ビデオにビデオ音声ダウンロードリワードが付与されていないことの確認が可能になる。
【０１７５】
この場合、視聴者が当該ビデオのチップ支払いボタン４００からチップを支払っても、リワード提供オプション制御モジュール１２５がチップ受取有無の選択９０２を許可（Yes）、ビデオ音声ダウンロードリワード有無の選択９０５非付与（No）を検出し制御し（ステップ１２０２）、ビデオ音声モジュール２０３は作動せず、ビデオ音声ダウンロードボタン１００２は生成されず、視聴者端末１４１への当該ビデオ音声ダウンロード保存は不可能になる。
【０１７６】
なお、コンテンツ提供者は端末１４０からビデオをアップロードした後も、ユーザーアカウントページ（図示せず）にログインしManage Videosボタン（図示せず）からユーザーインターフェース１５００にアクセスし、１５０１からビデオ毎に設置されているユーザーインターフェース９００にアクセスし、チップ受取有無の選択９０２、チップカウント表示有無の選択９０３、ビデオダウンロードリワード有無の選択９０４、ビデオ音声ダウンロードリワード有無の選択９０５、広告収益有無の選択９０６、エクストラリワード有無の選択９０７、リワード最低チップ金額有無の選択９１６の確認と設定の変更が可能である。
【０１７７】
１２．エクストラリワード
この実施形態のシステムではエクストラリワード機能が設けられており、コンテンツ提供者は端末１４０上に表示したインターフェース９００で、エクストラリワード有無の選択９０７付与（Yes）若しくは非付与（No）の選択と指定が可能になっている。
【０１７８】
前記の通り、リワード提供オプション制御モジュール１２５はコンテンツ提供者が、チップ受取有無の選択９０２を許可（Yes）に設定した場合のみ、エクストラリワード有無の選択９０７をアクティブに表示し、その選択と指定を可能にし、広告収益有無の選択９０６は強制的に否（No）に指定されると共に選択できないようにインアクティブに設定される。
【０１７９】
また、チップ受取有無の選択９０２を否（No）に指定した場合には、リワード提供オプション制御モジュール１２５はエクストラリワード有無の選択９０７を非付与（No）に強制的に指定すると共に選択できないようにインアクティブにし、広告収益有無の選択９０６は可（Yes）に指定される。以下、エクストラリワード有無の選択９０７の設定と動作を図７のフローチャートを参照にしてさらに詳しく説明する。
【０１８０】
前述と同様にコンテンツ提供者がビデオ「Upload」ボタン４０１をクリックし（ステップ７０１）、ログインしユーザーＩＤ１６０を特定する（ステップ７０２）。コンテンツ提供者がエクストラリワードの有無の選択９０７を付与（Yes）に指定すると、リワードタイプの選択９０８がアクティブに表示され、リワードタイプを選択し指定する。
【０１８１】
コンテンツ提供者がリワードタイプの選択９０８で、ダウンロードタイプ９０９もしくはサイト内ページ表示タイプ９１０を選択し指定した場合、ユーザーインターフェース９１２がアクティブに表示され（図９）、コンテンツ提供者はユーザーインターフェース９１２からリワードデータを指定し端末１４０からアップロードする。
【０１８２】
アップロード可能なデジタルコンテンツアイテムは、MPEG、MP4、MOV、MP3、FLAC、WAV、JPEG、PNG、GIF、PDFファイルなど、動画、音声、画像、テキストファイル等、様々な形式のデータをアップロード可能である。また、コンテンツ提供者はリワード名称を９１４にリワード説明を９１５に入力する。
【０１８３】
コンテンツ提供者が外部ページリンクタイプ９１１を指定した場合、ＵＲＬ入力ボックス９１３（図９Ａ）がアクティブに表示され、コンテンツ提供者はリワードを付与する外部ページのＵＲＬを入力する。また、コンテンツ提供者はリワード名称を９１４にリワード説明を９１５に入力する。なお、外部ページリンクタイプ９１１を選択し指定した場合、ユーザーインターフェース９１２は非表示になり、データの指定とアップロードは不可能になる。
【０１８４】
コンテンツ提供者がエクストラリワードの有無の選択９０７付与（Yes）に指定し、ダウンロードタイプ９０９、サイト内ページ表示タイプ９１０、外部ページリンクタイプ９１１のいずれかを指定し（ステップ７０７）、コンテンツ提供者のオプション選択を待ち（ステップ７０８）、Submit Nowボタン９１８が押され（ステップ７０９）、その設定が保存された場合（ステップ７１０）、前記オプションを制御するリワード提供オプション制御モジュール１２５が作動し、チップ受取有無の選択９０２許可（Yes）とエクストラリワードの有無の選択９０７付与（Yes）に設定されたことを検出し、エクストラリワードモジュール２０４へ伝達し作動する。
【０１８５】
前記リワードタイプの選択９０８で、ダウンロードタイプ９０９を指定した場合、エクストラリワードモジュール２０４は前記ユーザーインターフェース９１２で指定されアップロードされた当該エクストラリワードデータを最適なファイルへフォーマット変換処理（エンコーディング、トランスコーディング）、圧縮処理をおこないファイル化し、エクストラリワードＩＤ（識別子）を割り当てる。当該エクストラリワードファイル、当該エクストラリワードＩＤは入力したリワード名称９１４、リワード説明９１５、オプション設定、ビデオＩＤ、ユーザーＩＤ１６０とマッピングすると共にエクストラリワードデータベース１３５に格納し、ユーザーデータベース１３１を更新して保存する。
【０１８６】
前記リワードタイプの選択９０８で、サイト内ページ表示タイプ９１０を選択し指定した場合、エクストラリワードモジュール２０４は前記ユーザーインターフェース９１２で指定されアップロードされた当該エクストラリワードデータを最適なファイルへフォーマット変換処理（エンコーディング、トランスコーディング）、圧縮処理を行いファイル化し、エクストラリワードＩＤ（識別子）を割り当て、当該エクストラリワードファイルを表示する、ビデオホスティングウェブサイト１００のサイト内ページ表示用ＵＲＬを割り当て、ファイル化した当該エクストラリワードを表示するエクストラリワードページを生成する。当該エクストラリワードファイル、当該エクストラリワードページ、当該サイト内ページ表示用ＵＲＬ、当該エクストラリワードＩＤは入力したリワード名称９１４、リワード説明９１５、オプション設定、ビデオＩＤ、ユーザーＩＤ１６０とマッピングすると共にエクストラリワードデータベース１３５に格納し、ユーザーデータベース１３１を更新して保存する。
【０１８７】
前記リワードタイプの選択９０８で、外部ページリンクタイプ９１１を指定した場合、エクストラリワードモジュール２０４は前記ＵＲＬ入力ボックス９１３に入力されたＵＲＬにエクストラリワードＩＤ（識別子）を割り当てる。当該外部ページリンクＵＲＬ、当該エクストラリワードＩＤは入力したリワード名称９１４、リワード説明９１５、オプション設定、ビデオＩＤ、ユーザーＩＤ１６０とマッピングすると共にエクストラリワードデータベース１３５に格納し、ユーザーデータベース１３１を更新して保存する。
【０１８８】
次に、エクストラリワードモジュール２０４はリワード提供オプション制御モジュール１２５へ当該エクストラリワード処理の完了信号を送り、リワード提供オプション制御モジュール１２５がそれを受信し、チップ支払いボタン/リンク表示モジュール２００へ伝達し、ユーザーインターフェースに当該ビデオのチップ支払いボタン４００を生成し（図８）、リワード表示（REWARDS）８００とエクストラリワード表示８０３が表示され、これにより、視聴者はチップ支払い前に当該ビデオがエクストラリワード付きであることの確認が可能になる。
【０１８９】
エクストラリワードの有無の選択９０７を非付与（No）に指定し、その設定が保存された場合（ステップ７１０）、リワード提供オプション制御モジュール１２５はそれを検出し制御し、図８のユーザーインターフェースに当該ビデオのチップ支払いボタン４００にリワード表示（REWARDS）８００とエクストラリワード表示８０３が表示されず、これにより、視聴者は当該ビデオにエクストラリワードが付与されていないことの確認が可能になる。
【０１９０】
また、エクストラリワードは複数のエクストラリワードを付与することが可能である。エクストラリワードを追加する場合、エクストラリワード追加ボタン９１９クリックすると、追加エクストラリワードインターフェース９２０がユーザーインターフェース９００に表示され（図９Ｂ）、前記同様にエクストラリワード有無の選択９０７付与（Yes）若しくは非付与（No）の選択と指定が可能になる。なお、追加エクストラリワードの設定方法と動作は、前記エクストラリワード設定方法と同様になる。
【０１９１】
１３．エクストラリワードの受け取り
図１３はチップ支払いと連動する、エクストラリワードの受け取りを示したフローチャートである。
【０１９２】
視聴者がリワード表示（REWARDS）８００とエクストラリワード表示８０３が表示されている、チップ支払いボタン４００（図１０）からチップの支払いを完了すると、チップ支払い処理モジュール２０１からチップ支払い完了信号を受けたリワード提供オプション制御モジュール１２５作動し（ステップ１３０１）、９００のオプション設定：チップ受取有無の選択９０２許可（Yes）、エクストラリワード有無の選択９０７付与（Yes）を確認し（ステップ１３０２）、エクストラリワードモジュール２０４へ要求信号を送り作動し（ステップ１３０３）、エクストラリワードモジュール２０４は、当該エクストラリワードデータをエクストラリワードデータベース１３５に確認し、当該エクストラリワードＩＤ、当該ビデオＩＤ、当該ユーザーＩＤ１６０、当該チップ支払いＩＤをマッピングし（ステップ１３０４）、前記リワードタイプの選択９０８で指定されたリワードタイプを確認する（ステップ１３０５）。
【０１９３】
前記リワードタイプの選択９０８で、ダウンロードタイプ９０９が指定されている場合（ステップ１３０６）、エクストラリワードモジュール２０４はエクストラリワード提供ボタン１００３を生成し（図１０）、エクストラリワード名称とリワード形態（この場合：ダウンロード）とファイルサイズと共にリワード提供ユーザーインターフェース１０００にエクストラリワード提供ボタン１００３を表示する（ステップ１３０６）。
【０１９４】
視聴者がエクストラリワード提供ボタン１００３（この場合：ダウンロード）をクリックすると（ステップ１３１０）、エクストラリワードモジュール２０４は要求信号を受け指示された当該エクストラリワードファイルをエクストラリワードデータベース１３５から取り出し、視聴者端末１４１へ送信し、視聴者は端末へ当該エクストラリワードのダウンロード保存を行う（ステップ１３１０）。当該エクストラリワードのダウンロードが完了すると、エクストラリワード完了画面が表示される（ステップ１３１１）。
【０１９５】
前記リワードタイプの選択９０８で、サイト内ページ表示タイプ９１０が指定されている場合（ステップ１３０７、１３０８）、エクストラリワードモジュール２０４は前記で割り当てられたサイト内ページ表示用URLをエクストラリワード提供ボタン１００３に埋め込み生成し（図１０）、エクストラリワード名称とリワード形態（この場合：サイト内ページ表示）と共にリワード提供ユーザーインターフェース１０００にエクストラリワード提供ボタン１００３を表示する（ステップ１３０８）。
【０１９６】
視聴者が当該エクストラリワード提供ボタン１００３をクリックすると（ステップ１３１０）、前記で割り当てられた当該サイト内ページ表示用URLページへリンクされ、当該サイト内ページに当該エクストラリワードファイルが表示され（図示なし）、視聴者はリワードを受ける（ステップ１３１０）。当該サイト内エクストラリワードページ表示が完了すると、エクストラリワード完了画面が表示される（ステップ１３１１）。
【０１９７】
前記リワードタイプの選択９０８で、外部ページリンクタイプ９１１が指定されている場合（ステップ１３０９）、エクストラリワードモジュール２０４は前記外部ページリンクＵＲＬ入力ボックス９１３に入力されたＵＲＬをエクストラリワード提供ボタン１００３に埋め込み生成し（図１０）、エクストラリワード名称とリワード形態（この場合：外部ページリンク）と共にリワード提供ユーザーインターフェース１０００にエクストラリワード提供ボタン１００３を表示する（ステップ１３０９）。
【０１９８】
視聴者がエクストラリワード提供ボタン１００３をクリックすると（ステップ１３１０）、当該ＵＲＬ入力ボックス９１３に入力されたＵＲＬが指定する外部ページへリンクされ、ページが表示され、チップを支払った視聴者は表示された外部ページでリワードを受ける（図示なし）。当該エクストラリワード外部ページの表示が完了すると、エクストラリワード完了画面が表示される（ステップ１３１１）。
【０１９９】
前記ステップ１３０２で、エクストラリワード有無の選択９０７を非付与（No）に指定し、その設定が保存されている場合（ステップ１３０２）、図１０のユーザーインターフェースに当該ビデオのチップ支払いボタン４００は生成されるが、リワード提供オプション制御モジュール１２５が当該ビデオのエクストラリワード有無の選択９０７が非付与（No）に設定されたことを検出し制御し、当該チップ支払いボタン４００にリワード表示（REWARDS）８００とエクストラリワード付与表示８０３は表示されず、視聴者は当該ビデオにエクストラリワードが付与されていないことが確認可能になる。
【０２００】
この場合、視聴者が当該ビデオにチップ支払いボタン４００からチップを支払っても、リワード提供オプション制御モジュール１２５がエクストラリワード有無の選択９０７が非付与（No）に設定されたことを検出し制御し、エクストラリワードモジュール２０４は作動せず、エクストラリワード提供ボタン１００３は生成されず、当該ビデオのエクストラリワードを受けることが不可能になる。
【０２０１】
なお、コンテンツ提供者はビデオアップロード後も、ユーザーアカウントページ（図示せず）にログインしManage Videosボタン（図示せず）からユーザーインターフェース１５００にアクセスし、１５０１からビデオ毎に設置されているインターフェース９００にアクセスし、チップ受取有無の選択９０２、チップカウント表示有無の選択９０３、ビデオダウンロードリワード有無の選択９０４、ビデオ音声ダウンロードリワード有無の選択９０５、広告収益有無の選択９０６、エクストラリワード有無の選択９０７、リワード最低チップ金額有無の選択９１６の確認と設定の変更が可能である。
【０２０２】
１４．リワード最低チップ金額
この実施形態では、ワード付与に対してリワード最低チップ金額設定機能が設けられており、コンテンツ提供者は前記ユーザーインターフェース９００で、リワード最低チップ金額有無の選択９１６有り（Yes）若しくは無し（No）の選択と指定が可能になっている。前記の通り、リワード提供オプション制御モジュール１２５はコンテンツ提供者が、チップ受取有無の選択９０２を許可（Yes）に設定した場合のみ、リワード最低チップ金額有無の選択９１６をアクティブに表示し、その選択と指定を可能にし、広告収益有無の選択９０６は強制的に否（No）に指定されると共に選択できないようにインアクティブに設定される。
【０２０３】
また、チップ受取有無の選択９０２を否（No）に指定した場合には、リワード提供オプション制御モジュール１２５はリワード最低チップ金額有無の選択９１６無し（No）に指定すると共に選択できないようにインアクティブにし、広告収益有無の選択９０６は可（Yes）に指定される。
【０２０４】
リワード最低チップ金額有無の選択９１６有り（Yes）を指定すると、最低チップ通貨選択・金額入力ボックス９１７がアクティブに表示され、リワード付与に対して、最低チップ支払い通貨を選択し金額を入力し、通貨と金額を設定出来るようになる。
【０２０５】
リワード付与に対するリワード最低チップ金額の意味として、視聴者のビデオ視聴のチップ支払いに対し、コンテンツ提供者が設定する「リワード（特典）付与に対するチップ最低金額」であるため、ユーザーインターフェース９００とリワード最低チップ金額有無の選択９１６は「１ビデオに対して、１リワード最低チップ金額」の設定が可能になるように設計されおり、リワード提供オプション制御モジュール１２５がこれを制御している。
【０２０６】
また、リワード最低チップ金額有無の選択９１６と、ビデオダウンロードリワード有無の選択９０４、ビデオ音声ダウンロードリワード有無の選択９０５、エクストラリワード有無の選択９０７は連動しており、これらのリワードのうち２つ以上（複数）のリワード付与（Yes）が指定された場合のみ、リワード最低チップ金額有無の選択９１６がアクティブに表示され、その選択と設定が可能になる。
【０２０７】
なお、エクストラリワード有無の選択９０７は２つ以上（複数）のリワード付与設定が可能なため、エクストラリワードのみ２つ以上（複数）のリワードを付与した場合も、リワード最低チップ金額有無の選択９１６がアクティブに表示され、その選択と設定が可能になる。
【０２０８】
加えて、これらのリワードのうち１つ（単数）のみリワード付与（Yes）が指定された場合、リワード最低チップ金額有無の選択９１６はアクティブに表示されず、その選択と設定は不可能になる。以下、リワード最低チップ金額有無の選択９１６の設定と動作を図７のフローチャートを参照してさらに詳しく説明する。
【０２０９】
前項同様にコンテンツ提供者がビデオ「Upload」ボタン４０１をクリックし（ステップ７０１）、ログインしユーザーＩＤ１６０を特定する（ステップ７０２）。次にユーザーインターフェース９００を表示し（ステップ７０３）、チップ受取有無の選択９０２許可（Yes）を確認し（ステップ７０４，７０５）、次にビデオダウンロードリワード有無の選択９０４、ビデオ音声ダウンロードリワード有無の選択９０５、エクストラリワード有無の選択９０７、これらのリワードのうち２つ以上（複数）のリワード付与（Yes）を確認し、リワード最低チップ金額有無の選択９１６がアクティブに表示され、有り（Yes）に指定されていることを確認し、最低チップ通貨選択・金額入力ボックス９１７がアクティブに表示される。
【０２１０】
そして、コンテンツ提供者は最低チップ通貨選択・金額入力ボックス９１７にリワードを付与する最低チップ金額（通貨と金額）を入力する（ステップ７０７）。コンテンツ提供者のオプション選択を待ち（ステップ７０８）、Submit Nowボタン９１８が押され（ステップ７０９）、その設定が保存された場合（ステップ７１０）、前記オプションを制御するリワード提供オプション制御モジュール１２５が作動し、チップ受取有無の選択９０２を許可（Yes）とビデオダウンロードリワード有無の選択９０４、ビデオ音声ダウンロードリワード有無の選択９０５、エクストラリワード有無の選択９０７（複数付与設定可）、これらのリワードのうち２つ以上（複数）のリワード付与（Yes）を確認し、リワード最低チップ金額有無の選択９１６有り（Yes）、最低チップ通貨選択・金額入力ボックス９１７に入力されたリワード最低チップ金額を検出し確認し、リワード最低チップ金額モジュール２０５へ伝達し作動する。リワード最低チップ金額モジュール２０５は設定されたリワード最低チップ金額にリワード最低チップ金額ＩＤ（識別子）を割り当て、ビデオＩＤ、ユーザーＩＤ１６０とマッピングし、設定されたリワード最低チップ金額、オプション設定と共にリワード最低チップ金額データベース１３６に格納し、ユーザーデータベース１３１を更新して保存する（ステップ７１０）。
【０２１１】
次に、リワード最低チップ金額モジュール２０５はリワード提供オプション制御モジュール１２５へ当該リワード最低チップ金額処理の完了信号を送り、リワード提供オプション制御モジュール１２５がそれを受信し、チップ支払いボタン/リンク表示モジュール２００へ伝達し、ユーザーインターフェースに当該ビデオのチップ支払いボタン４００が生成され（図８）、リワード表示（REWARDS）８００とリワード最低チップ支払い額表示８０４が表示される。これにより、視聴者はチップ支払い前に当該ビデオにリワード最低チップ金額が設定されていることの確認が可能になる。
【０２１２】
また、視聴者は当該リワード最低チップ支払い額表示８０４（図８Ａ）が表示されている、当該チップ支払いボタン４００にマウスポインタ―８０５を重ねる（クリック無し）ことにより、リワード詳細インターフェース８０６が表示され、リワード最低チップ支払い額詳細８１０（この例ではUSD2.00以上）が表示され、リワード最低チップ支払い額の確認が可能になる。タッチスクリーン型ブラウザ１７０はチップ支払いボタン４００下段をタッチすることにより（図８Ｂ）、同様にリワード詳細インターフェース８０６が表示され、リワード最低チップ支払い額詳細８１０（この例ではUSD2.00以上）が表示され、リワード最低チップ支払い額の確認が可能になる。
【０２１３】
なお、リワード最低チップ金額有無の選択９１６を無し（No）に指定し、その設定が保存された場合（ステップ７１０）、図８のユーザーインターフェースに当該ビデオのチップ支払いボタン４００にリワード最低チップ支払い額表示８０４が表示されず、これにより、視聴者は当該ビデオにリワード最低チップ金額が設定されていないことの確認が可能になる。
【０２１４】
１５．リワード最低チップ金額設定による制御
図１４はチップ支払いと連動する、リワード最低チップ金額設定による、リワードの受け取り制御を示したフローチャートである。
【０２１５】
視聴者がリワード表示（REWARDS）８００と、ビデオダウンロードリワード表示８０１、ビデオ音声ダウンロードリワード表示８０２、エクストラリワード表示８０３、これらいずれかのリワード表示と、リワード最低チップ支払い額表示８０４が表示されている、チップ支払いボタン４００（図１０）からチップの支払いを完了すると、チップ支払い処理モジュール２０１からチップ支払い完了信号を受けたリワード提供オプション制御モジュール１２５が作動し（ステップ１４０１）、９００のオプション設定：チップ受取有無の選択９０２許可（Yes）、ビデオダウンロードリワード有無の選択９０４、ビデオ音声ダウンロードリワード有無の選択９０５、エクストラリワード有無の選択９０７のリワード設定を確認し（ステップ１４０２）、これらいずれかが付与（Yes）に指定されている場合、これらのリワード２つ以上（複数）にリワード付与（Yes）が指定されているか確認する（ステップ１４０３）。
【０２１６】
なお、エクストラリワード有無の選択９０７は２つ以上（複数）のリワード付与設定が可能なため、エクストラリワードのみ２つ以上（複数）のリワードを付与した場合も、リワード最低チップ金額有無の選択９１６がアクティブに表示され、その選択と設定が可能になる。
【０２１７】
これらのリワードのうち２つ以上（複数）が指定されている場合、リワード最低チップ金額有無の選択９１６有り（Yes）を確認し（ステップ１４０４）、リワード提供オプション制御モジュール１２５はリワード最低チップ金額モジュール２０５に伝達し作動し（ステップ１４０５）、最低チップ通貨選択・金額入力ボックス９１７に入力されたリワード最低チップ通貨と金額を確認する（ステップ１４０６）。
【０２１８】
例えば、最低チップ通貨選択・金額入力ボックス９１７にリワード最低チップ金額として「USD2.00」が設定されていると仮定する、この場合、リワード最低チップ支払い額表示８０４が表示されているチップボタン４００から視聴者が「USD2.00」以上のチップを支払っている場合、リワード最低チップ金額モジュール２０５はリワード最低チップ金額データベース１３６にマッピングされているリワード最低チップ金額ＩＤ、ビデオＩＤ、ユーザーＩＤ１６０と設定されているリワード最低チップ金額（この例の場合USD2.00）を確認し、リワード付与許可信号をリワード提供オプション制御モジュール１２５へ送る（ステップ１４０８）。
【０２１９】
前記と同様にリワード提供オプション制御モジュール１２５は９００のオプション設定：ビデオダウンロードリワード有無の選択９０４、ビデオ音声ダウンロードリワード有無の選択９０５、エクストラリワード有無の選択９０７の設定に基づき、ビデオダウンロードボタン/リンク表示モジュール２０２、ビデオ音声モジュール２０３、エクストラリワードモジュール２０４がそれぞれの設定により作動し、同じく９００のオプション設定に基づき、ビデオダウンロードボタン１００１、ビデオ音声ダウンロードボタン１００２、エクストラリワード提供ボタン１００３をそれぞれの設定により生成し、これらのオプション設定に基づきリワード提供ユーザーインターフェース１０００にこれらのボタンが表示され（ステップ１４０９）、視聴者はこれらのボタンをクリックしリワードを受け取る（ステップ１４１０）。前記と同様に各リワードの受取が完了すると完了画面が表示される（ステップ１４１１）。
【０２２０】
なお、前記ステップ１４０９、１４１０、１４１１については前項各ビデオダウンロード保存、ビデオ音声ダウンロード保存、エクストラリワードの受け取り動作と同様になる。
【０２２１】
前記ステップ１４０３で、ビデオダウンロードリワード有無の選択９０４、ビデオ音声ダウンロードリワード有無の選択９０５、エクストラリワード有無の選択９０７、これらのリワードのうち１つ（単数）のみリワード付与が設定され保存されている場合、リワード提供オプション制御モジュール１２５がそれを検出し制御し、リワード最低チップ金額有無の選択９１６はアクティブに表示されず、その選択と設定が不可能になり、リワード最低チップ金額モジュール２０５は作動せず、リワード付与に対するリワード最低チップ金額の設定は不可能になる（ステップ１４０７）。
【０２２２】
また、ステップ１４０４でリワード最低チップ金額有無の選択９１６無し（No）が指定され、その設定が保存されている場合、リワード提供オプション制御モジュール１２５がそれを検出し制御し、リワード最低チップ金額モジュール２０５は作動せず、リワード付与に対するリワード最低チップ金額の設定は不可能になる（ステップ１４０７）。
【０２２３】
また、前記ステップ１４０６で、リワード最低チップ金額モジュール２０５は視聴者が支払ったチップ金額とコンテンツ提供者が最低チップ通貨選択・金額入力ボックス９１７に入力し設定したリワード最低チップ金額を確認し、設定されているリワード最低チップ金額に満たない場合ステップ１４１２へ進む。例えば、最低チップ通貨選択・金額入力ボックス９１７にリワード最低チップ金額として「USD2.00」が設定されていると仮定する、視聴者が「USD2.00未満」の金額をリワード最低チップ支払い額表示８０４が表示されているチップボタン４００から支払っている場合、リワード最低チップ金額モジュール２０５はリワード最低チップ金額データベース１３６にマッピングされているリワード最低チップ金額ＩＤ、ビデオＩＤ、ユーザーＩＤ１６０とリワード最低チップ金額（この例の場合、USD2.00）を確認し、リワード最低チップ金額未満リワード不許可信号をリワード提供オプション制御モジュール１２５へ送る（ステップ１４１２）。
【０２２４】
リワード最低チップ金額未満リワード不許可信号を受けたリワード提供オプション制御モジュール１２５は９００のオプション設定：ビデオダウンロードリワード有無の選択９０４、ビデオ音声ダウンロードリワード有無の選択９０５、エクストラリワード有無の選択９０７に基づき、ビデオダウンロードボタン/リンク表示モジュール２０２、ビデオ音声モジュール２０３、エクストラリワードモジュール２０４を制御し作動せず、ビデオダウンロードボタン１００１、ビデオ音声ダウンロードボタン１００２、エクストラリワード提供ボタン１００３は生成せれず、リワード提供ユーザーインターフェース１０００にもこれらのボタンは表示されず、視聴者は当該ビデオのリワードを受けることが不可能になる（１４１３）。同時にリワード最低チップ金額モジュール２０５はリワード付与不可表示（リワード最低チップ金額に満たない理由による）を表示し（１４１４）、視聴者は支払ったチップ金額がリワード最低チップ金額に満たず、リワードを受けることが出来ないことの確認が可能になる。
【０２２５】
ステップ１４０２で、ビデオダウンロードリワード有無の選択９０４、ビデオ音声ダウンロードリワード有無の選択９０５、エクストラリワード有無の選択９０７、これらのリワード全て非付与（No）に指定され、その設定が保存されている場合、リワード付与がなされず、リワード最低チップ金額有無の選択９１６はアクティブにならず、設定が不可能になる（ステップ１４１５）。
【０２２６】
なお、コンテンツ提供者はビデオアップロード後も、ユーザーアカウントページ（図示せず）にログインしManage Videosボタン（図示せず）からユーザーインターフェース１５００にアクセスし、１５０１からビデオ毎に設置されているインターフェース９００にアクセスし、チップ受取有無の選択９０２、チップカウント表示有無の選択９０３、ビデオダウンロードリワード有無の選択９０４、ビデオ音声ダウンロードリワード有無の選択９０５、広告収益有無の選択９０６、エクストラリワード有無の選択９０７、リワード最低チップ金額有無の選択９１６の確認と設定の変更が可能である。
【０２２７】
１６．リワード定義とリワード最低チップ金額
前記の通り、リワード最低チップ金額は、視聴者のビデオ視聴におけるチップ支払いに対する、リワード（特典）付与に関してコンテンツ提供者が設定する、チップ最低金額であるため、ビデオ単位での設定が原則となる。そのため、ユーザーインターフェース９００とリワード最低チップ金額有無の選択９１６は「１ビデオに対して、１リワード最低チップ金額」のみ設定可能になるように設計されおり、コンテンツ提供者が複数のリワードを付与した場合でも、複数のリワード最低チップ金額を１つのビデオに設定することは不可能になる。
【０２２８】
また、リワード最低チップ金額有無の選択９１６と、ビデオダウンロードリワード有無の選択９０４、ビデオ音声ダウンロードリワード有無の選択９０５、エクストラリワード有無の選択９０７、は連動しており、これらのリワードのうち２つ以上（複数）のリワード付与（Yes）が指定された場合のみ、リワード最低チップ金額有無の選択９１６がアクティブに表示され、その選択と設定が可能になる。しかし、これらのリワードのうち１つのみ（単数）リワード付与（Yes）が指定された場合、リワード最低チップ金額有無の選択９１６は強制的に否（No）に指定され、インアクティブになり、リワード個別（単体・単数）でのリワード最低チップ金額の設定が不可能になり、リワード提供オプション制御モジュール１２５がこれを制御している。
【０２２９】
理由として、ビデオダウンロードリワード、ビデオ音声ダウンロードリワード、エクストラリワード、個別（単体・単数）にリワード最低チップ金額の設定が可能になると、論理的に個々のリワード最低チップ金額の金額特定が可能になる。リワード最低チップ金額の金額特定が可能になると、リワード（特典）として付与される、各ビデオダウンロードリワード、ビデオ音声ダウンロードリワード、エクストラリワードは最低金額が付けされた「販売」に近いビジネスモデルになり、リワード（特典）としての意味が薄れてしまう。このリワード最低チップ金額の金額特定を避けるため、２つ以上（複数）のリワード付与が指定された場合のみ、リワード最低チップ金額の設定が可能になっている。リワード最低チップ金額は「１ビデオに対して、１リワード最低チップ金額」のみ設定可能なため、リワードが複数付与されれば、個々のリワード最低チップ金額の金額特定が不可能になるからである。これにより、リワードで付与される、ビデオダウンロードリワード、ビデオ音声ダウンロードリワード、エクストラリワードは「販売」ではなく「リワード（特典）」であることが明確になる。リワード（特典）とは、販売商品やサービス販売と違い、値段の特定が論理的に不可能でなければならないからである。
【０２３０】
上記に加えて、リワード（特典）の定義として、コンテンツ提供者が設定する、オプション設定により、視聴者がチップ支払ボタン４００からチップを支払っても、ビデオダウンロードリワード、ビデオ音声ダウンロードリワード、エクストラリワードを非付与にすることが可能になる。この機能により、ビデオダウンロードリワード、ビデオ音声ダウンロードリワード、エクストラリワードは「販売商品やサービス販売」ではなく、「リワード（特典）」であることが既に定義出来ている。
【０２３１】
しかし、コンテンツ提供者が付与するリワード（特典）が１つのみ（単体・単数）に限定されると、視聴者のチップ支払い金額と単体（単数）リワードを紐付けることが論理的に可能になり、リワード金額が特定可能になり販売に近いビジネスモデルが成立してしまう。２つ以上（複数）のリワード（特典）付与であれば、視聴者のチップ支払い金額と個々のリワード（特典）を紐付けることが不可能になり、個々のリワード金額の特定が不可能になり、ビデオダウンロードリワード、ビデオ音声ダウンロードリワード、エクストラリワードはリワード（特典）であることが、より明確に定義することが可能になる。
【０２３２】
これにより、チップ支払いに対してリワードを受ける側の視聴者は、ビデオダウンロードリワード、ビデオ音声ダウンロードリワード、エクストラリワードはリワード（特典）であることが、より明確に認識し理解できることになるのは、もちろんだが、リワードを提供する側のコンテンツ提供者も、ビデオ投稿の際、複数のリワード付与を設定することが可能になることにより、これらがリワード（特典）であると認識し理解することが可能になり、ユーザーインターフェース９００はリワードの付与・非付与をビデオ毎に細かく設定することを可能にする。
【０２３３】
本発明はコンテンツ提供者が１つのビデオに対して、２つ以上（複数）のリワード（特典）付与の設定を可能にすることが出来ることにより、リワード（特典）として付与するサービスが、より明確にリワード（特典）として定義することが出来ると共にコンテンツ提供者と視聴者はチップ支払いに伴う「提供するサービス・受けるサービス」が論理的にリワード（特典）であることの認識と理解が可能になる。
【０２３４】
そして、コンテンツ提供者が１つのビデオに対して、２つ以上（複数）のリワード（特典）を付与することにより、視聴者のチップ支払い動機が高まり、複数リワードにより満足度もアップする。そして、チップ支払率も上がることにより、コンテンツ提供者のチップ収益も必然的にアップし、ビデオホスティングウェブサイト１００の運営者の収益もアップする、Win-Win（ウィンウィン）のビジネスモデルを構築可能にする発明（機能）である。
【０２３５】
１７．チップ支払いボタン詳細表示機能
本発明のチップ支払いボタン４００の主機能は、視聴者のビデオ視聴におけるチップ支払いボタンであるが、前記の通りコンテンツ提供者のオプション設定により、チップ支払いボタン４００に、リワード表示（REWARDS）８００、ビデオダウンロードリワード表示８０１、ビデオ音声ダウンロードリワード表示８０２、エクストラリワード表示８０３、リワード最低チップ支払い額表示８０４が表示され、視聴者はチップ支払い前にリワードに関する概要を確認可能になっている。
【０２３６】
しかし、チップ支払いボタン４００に多くの詳細情報（リワード詳細内容、リワード最低チップ金額詳細）を表示させると、視聴者が混乱する恐れがある。また、特にリワード最低チップ金額の「通貨と金額数字」をチップ支払いボタン４００に表示すると、「リワード最低チップ金額表示がされたボタン」になり、視聴者はビデオダウンロードリワード、ビデオ音声ダウンロードリワード、エクストラリワードを「リワード（特典）」ではなく、「販売」と認識する恐れがあり、本発明の特徴である、視聴者のビデオ視聴でのチップ支払いに伴う「リワード（特典）」表示としての機能と意味を損ねる恐れがある。
【０２３７】
これらを避けるため、チップ支払いボタン４００の主機能である、視聴者のビデオ視聴におけるチップ支払いの妨げにならず、視聴者がチップ支払い前にリワード内容詳細とリワード最低金額を確認可能な機能が必要不可欠であり、チップ支払いボタン４００には次の機能が備わっている。
【０２３８】
図８Ａは、チップ支払いボタン４００にリワード表示（REWARDS）８００、ビデオダウンロードリワード表示８０１、ビデオ音声ダウンロードリワード表示８０２、エクストラリワード表示８０３、リワード最低チップ支払い額表示８０４のいずれかが表示されている場合、視聴者は、チップボタン４００にマウスポインタ―を重ねる（クリックせず）ことにより８０５、リワード詳細インターフェース８０６が表示され、ビデオダウンロードリワード詳細（ファイルサイズ表示）８０７、ビデオ音声ダウンロードリワード詳細（ファイルサイズ表示）８０８、エクストラリワード詳細（エクストラリワード名表示とファイルサイズ表示）８０９、リワード最低チップ支払い額詳細（リワード最低チップ支払い通貨と金額）８１０が表示され、視聴者はチップ支払い前でも、詳細内容の確認が可能になる。図８Ａのマウスポインタ―８０５は、一般的なパーソナルコンピューターに用いられるブラウザ１７０である。
【０２３９】
しかし、スマートフォン、タブレットに一般的に用いられるタッチスクリーン型のブラウザ１７０に関してはマウスポインタ―８０５は通常表示されず、タッチスクリーンでの操作になる。その為、タッチスクリーン型ブラウザ１７０の場合（図８Ｂ）、チップ支払いボタン４００にリワード表示（REWARDS）８００、ビデオダウンロードリワード表示８０１、ビデオ音声ダウンロードリワード表示８０２、エクストラリワード表示８０３、リワード最低チップ支払い額表示８０４のいずれかが表示されている場合、チップ支払いボタン４００の下段をタッチすることにより８０５A、リワード詳細インターフェース８０６が表示され、その詳細内容の確認が可能になる。このタッチスクリーン型ブラウザ１７０の場合、チップ支払いボタン４００の上段をタッチすると、チップ支払い動作になる８０５Ａ。
【０２４０】
１８．リワードユーザーインターフェース機能と表示例
前項の説明の通り、ユーザーインターフェース９００のオプション設定により、チップ支払いボタン４００のリワード表示、リワード詳細ユーザーインターフェース８０６のリワード詳細表示、リワード提供ユーザーインターフェース１０００のボタンの表示と機能が変化し、前記リワード提供オプション制御モジュール１２５がこれを制御している。
【０２４１】
そのため、図１６Ａ〜図１６Ｆの設定例を参照にして、さらに詳しく説明する。
【０２４２】
なお、この実施形態では、チップ受取有無の選択９０２許可（Yes）、チップカウント表示有無の選択９０３有り（Yes）、広告収益有無の選択９０６否（No）に指定され、Submit Nowボタン９１８が押され、全てのオプションが保存され設定された状態になっている。
【０２４３】
図１６Ａの例では、ビデオダウンロードリワード有無の選択９０４非付与（No）、ビデオ音声ダウンロードリワード有無の選択９０５非付与（No）、エクストラリワード有無の選択９０７無し（No）に指定され、エクストラリワード有無の選択９０７に付随するリワードタイプの選択９０８はインアクティブになり、リワード最低チップ金額有無の選択９１６は全てのリワードが非付与により、強制的に無し（No）に指定されインアクティブになる。
【０２４４】
チップ支払いボタン４００は全てのリワード表示が非表示になり、リワード詳細ユーザーインターフェース８０６も非表示になり、視聴者はチップ支払いに対するリワードが一切付与されていないことが可能になる。この場合、視聴者は当該チップ支払いボタン４００をクリックし、チップを支払っても、リワード提供ユーザーインターフェース１０００は非表示になり、一切のリワードの受け取りが不可能になる。
【０２４５】
図１６Ｂの例では、ビデオダウンロードリワード有無の選択９０４付与（Yes）、ビデオ音声ダウンロードリワード有無の選択９０５付与（Yes）、エクストラリワード有無の選択９０７無し（No）に指定され付随するリワードタイプの選択９０８はインアクティブになり、ビデオダウンロードリワードとビデオ音声ダウンロードリワード、２つの（複数）リワードが付与に指定されているため、リワード最低チップ金額有無の選択９１６はアクティブに表示されたが、リワード最低チップ金額有無の選択９１６は無し（No）に指定されている。
【０２４６】
この場合、チップ支払いボタン４００にはリワード表示（REWARDS）８００、ビデオダウンロードリワード表示８０１、ビデオ音声ダウンロードリワード表示８０２が表示され、リワード詳細ユーザーインターフェース８０６には、ビデオダウンロードリワード詳細（ファイルサイズ表示）８０７、ビデオ音声ダウンロードリワード詳細（ファイルサイズ表示）８０８が表示される。この場合、視聴者は当該チップ支払いボタン４００をクリックし、チップを支払うと、リワード提供ユーザーインターフェース１０００にビデオダウンロードボタン（ファイルサイズ表示）１００１、ビデオ音声ダウンロードボタン（ファイルサイズ表示）１００２が表示される。視聴者は各当該ビデオダウンロードボタン１００１、ビデオ音声ダウンロードボタン１００２をクリックすることにより、各当該リワードを受け取ることが可能になる。
【０２４７】
図１６Ｃの例では、ビデオダウンロードリワード有無の選択９０４非付与（No）、ビデオ音声ダウンロードリワード有無の選択９０５付与非付与（No）、エクストラリワード有無の選択９０７付与（Yes）付随するリワードタイプの選択９０８は外部ページリンクタイプ９１１に指定され、エクストラリワードが１つのみ（単数）、リワード付与に指定されているため、リワード最低チップ金額有無の選択９１６は強制的に無し（No）に指定され、インアクティブになる。
この場合、チップ支払いボタン４００にはリワード表示（REWARDS）８００、エクストラリワード表示８０３が表示され、リワード詳細ユーザーインターフェース８０６にはエクストラリワード詳細（エクストラリワード名と外部ページリンク表示）８０９が表示される。
【０２４８】
この場合、視聴者は当該チップ支払いボタン４００をクリックし、チップを支払うと、リワード提供ユーザーインターフェース１０００にエクストラリワード提供ボタン（エクストラリワード名と外部ページリンク表示）１００３が表示される。視聴者は当該エクストラリワード提供ボタン１００３をクリックし、当該リワードを受け取ることが可能になる。
【０２４９】
図１６Ｄの例では、ビデオダウンロードリワード有無の選択９０４付与（Yes）、ビデオ音声ダウンロードリワード有無の選択９０５付与（Yes）、エクストラリワード有無の選択９０７付与（Yes）付随するリワードタイプの選択９０８はダウンロードタイプ９０９、ビデオダウンロードリワード、ビデオ音声ダウンロードリワード、エクストラリワード、３つの（複数）リワードが付与に指定されているため、リワード最低チップ金額有無の選択９１６はアクティブに表示されたが、リワード最低チップ金額有無の選択９１６は無し（No）に指定されている。
【０２５０】
この場合、チップ支払いボタン４００にはリワード表示（REWARDS）８００、ビデオダウンロードリワード表示８０１、ビデオ音声ダウンロードリワード表示８０２、エクストラリワード表示８０３が表示され、リワード詳細ユーザーインターフェース８０６にはビデオダウンロードリワード詳細（ファイルサイズ表示）８０７、ビデオ音声ダウンロードリワード詳細（ファイルサイズ表示）８０８、エクストラリワード詳細（リワード名とダウンロード、ファイルサイズ表示）８０９が表示される。
【０２５１】
この場合、視聴者は当該チップ支払いボタン４００をクリックし、チップを支払うと、リワード提供ユーザーインターフェース１０００にビデオダウンロードボタン（ファイルサイズ表示）１００１、ビデオ音声ダウンロードボタン（ファイルサイズ表示）１００２、エクストラリワード提供ボタン（リワード名とダウンロード、ファイルサイズ表示）１００３が表示される。視聴者は各当該ビデオダウンロードボタン１００１、ビデオ音声ダウンロードボタン１００２、エクストラリワード提供ボタン１００３をクリックすることにより、各当該リワードを受け取ることが可能になる。
【０２５２】
図１６Ｅの例では、ビデオダウンロードリワード有無の選択９０４付与（Yes）、ビデオ音声ダウンロードリワード有無の選択９０５付与（Yes）、エクストラリワード有無の選択９０７付与（Yes）付随するリワードタイプの選択９０８はページ表示タイプ９１０、ビデオダウンロードリワード、ビデオ音声ダウンロードリワード、エクストラリワード、３つの（複数）リワードが付与に指定されているため、リワード最低チップ金額有無の選択９１６はアクティブに表示され、リワード最低チップ金額有無の選択９１６有り（Yes）付随する最低チップ通貨選択・金額入力ボックス９１７には金額「USD2.00」が入力され、設定されている。
【０２５３】
この場合、チップ支払いボタン４００にはリワード表示（REWARDS）８００、ビデオダウンロードリワード表示８０１、ビデオ音声ダウンロードリワード表示８０２、エクストラリワード表示８０３、リワード最低チップ支払い額表示８０４が表示され、リワード詳細ユーザーインターフェース８０６にはビデオダウンロードリワード詳細（ファイルサイズ表示）８０７、ビデオ音声ダウンロードリワード詳細（ファイルサイズ表示）８０８、エクストラリワード詳細（エクストラリワード名とページ表示タイプ、表示）８０９、リワード最低チップ支払い額詳細（通貨と金額USD2.00以上）８１０が表示される。
【０２５４】
この場合、視聴者は設定されているリワード最低チップ金額以上（この例の場合USD2.00以上）を、当該チップ支払いボタン４００をクリックし支払うと、リワード提供ユーザーインターフェース１０００にビデオダウンロードボタン（ファイルサイズ表示）１００１、ビデオ音声ダウンロードボタン（ファイルサイズ表示）１００２、エクストラリワード提供ボタン（リワード名とページ表示タイプ、表示）１００３が表示される。
【０２５５】
視聴者は各当該ビデオダウンロードボタン１００１、ビデオ音声ダウンロードボタン１００２、エクストラリワード提供ボタン１００３をクリックすることにより、各当該リワードを受け取ることが可能になる。
【０２５６】
この場合、視聴者は設定されているリワード最低チップ金額（この例の場合USD2.00以上）未満の金額を、チップ支払いボタン４００をクリックし支払っても、リワード提供ユーザーインターフェース１０００にビデオダウンロードボタン１００１、ビデオ音声ダウンロードボタン１００２、エクストラリワード提供ボタン１００３が表示されず、リワードの受け取りが不可能になる。
【０２５７】
図１６Ｆの例では、ビデオダウンロードリワード有無の選択９０４非付与（No）、ビデオ音声ダウンロードリワード有無の選択９０５付与非付与（No）、エクストラリワード有無の選択９０７付与（Yes）付随するリワードタイプの選択９０８は、ダウンロードタイプ９０９、追加エクストラリワードインターフェース９２０のエクストラリワード有無の選択９０７付与（Yes）付随するリワードタイプの選択９０８は外部ページリンクタイプ９１１が設定されており、エクストラリワードが２つ（複数）付与に指定されているため、リワード最低チップ金額有無の選択９１６はアクティブに表示され、リワード最低チップ金額有無の選択９１６有り（Yes）付随する最低チップ通貨選択・金額入力ボックス９１７には金額「USD2.00」が入力され、設定されている。
【０２５８】
この場合、チップ支払いボタン４００にはリワード表示（REWARDS）８００、エクストラリワード表示８０３、リワード最低チップ支払い額表示８０４が表示され、リワード詳細ユーザーインターフェース８０６にはエクストラリワード詳細（エクストラリワード名とダウンロード、ファイルサイズ表示）８０９、エクストラリワード詳細（エクストラリワード名と外部ページリンク表示）８０９、リワード最低チップ支払い額詳細（通貨と金額USD2.00以上）８１０が表示される。この場合、視聴者は設定されているリワード最低チップ金額以上（この場合USD2.00以上）を、当該チップ支払いボタン４００をクリックし支払うと、リワード提供ユーザーインターフェース１０００にエクストラリワード提供ボタン（エクストラリワード名とダウンロード、ファイルサイズ表示）１００３、エクストラリワード提供ボタン（エクストラリワード名と外部ページリンク表示）１００３、２つのエクストラリワード提供ボタンが表示される。
【０２５９】
視聴者は各当該エクストラリワード提供ボタン１００３をクリックすることにより、各リワードを受け取ることが可能になる。
【０２６０】
この場合、視聴者は設定されているリワード最低チップ金額（この場合USD2.00以上）未満の金額を、チップ支払いボタン４００をクリックし支払っても、エクストラリワード提供ボタン１００３は表示されず、リワードの受け取りが不可能になる。
【０２６１】
１９．チップ支払い報酬手段と広告報酬手段の同時指定
前項の実施形態では、前記リワード提供オプション制御モジュール１２５はチップ受取有無の選択９０２と広告収入受取有無の選択９０６を択一的に動作させ、付随するチップ支払いボタン/リンク表示モジュール２００と広告表示モジュール１２４を択一的に動作させ、報酬支払手段をチップか広告に択一させている。
【０２６２】
しかし、リワード提供オプション制御モジュール１２５の設定を変更し、チップ受取有無の選択９０２と広告収入受取有無の選択９０６を同時にアクティブにし、付随するチップ支払いボタン/リンク表示モジュール２００と広告表示モジュール１２４も同時にアクティブにし、チップ受取有無の選択９０２許可（Yes）と広告収入受取有無の選択９０６許可（Yes）を同時に設定可能にし、チップ報酬と広告報酬を同時に得るようにリワード提供オプション制御モジュール１２５を制御させることも可能である。
【０２６３】
この場合、前項チップ受取有無の選択９０２と広告収益有無の選択９０６の連動と択一動作を無くし、付随するチップ支払いボタン/リンク表示モジュール２００と広告表示モジュール１２４の連動と択一動作を無くす。
【０２６４】
これにより、チップ受取有無の選択９０２と広告収入受取有無の選択９０６を同時に許可（Yes）に設定することが可能になる。しかし、この場合でも、リワード提供オプション制御モジュール１２５は、前項同様にチップ受取有無の選択９０２を許可（Yes）に設定した場合のみ、チップカウント表示有無の選択９０３、ビデオダウンロードリワード有無の選択９０４、ビデオ音声ダウンロードリワード有無の選択９０５、エクストラリワード有無の選択９０７、リワード最低チップ金額有無の選択９１６をアクティブに表示し、その選択と指定を可能する。
【０２６５】
また、この場合でも前項同様にチップ受取有無の選択９０２を否（No）に設定した場合には、チップカウント表示有無の選択９０３、ビデオダウンロードリワード有無の選択９０４、ビデオ音声ダウンロードリワード有無の選択９０５、エクストラリワード有無の選択９０７、リワード最低チップ金額有無の選択９１６を非付与・否（No）に強制的に指定されると共にアクティブにならず、その選択と指定を不可能になる。
【０２６６】
２０．リワード詳細チップ支払いボタン以外の方法
リワード表示（REWARDS）８００、ビデオダウンロードリワード表示８０１、ビデオ音声ダウンロードリワード表示８０２、エクストラリワード表示８０３、リワード最低チップ支払い額表示８０４関して、前項の実施例ではチップ支払いボタン４００内に表示されているが、この形態に限定されず視聴者がチップ支払いに伴う、リワード付与とリワード最低チップ金額設定の確認が可能な表示方法と、前述の「１７．チップ支払いボタン詳細表示機能」で説明した本発明の主旨に沿った形であればどのような形態でも構わない。
【０２６７】
例えば図１７のようにリワード表示（REWARDS）８００、ビデオダウンロードリワード表示８０１、ビデオ音声ダウンロードリワード表示８０２、エクストラリワード表示８０３、リワード最低チップ支払い金額表示８０４をチップ支払いボタン４００の下に表示させも、視聴者はチップ支払いボタン４００からチップを支払うことが可能になり、そして、チップ支払いに伴うリワード付与とリワード最低チップ支払い金額設定の確認と認識が可能である。
【０２６８】
この場合も前述の前述の「１７．チップ支払いボタン詳細表示機能」と同様にチップボタン４００にリワード表示（REWARDS）８００、ビデオダウンロードリワード表示８０１、ビデオ音声ダウンロードリワード表示８０２、エクストラリワード表示８０３、リワード最低チップ支払い額表示８０４のいずれかの表示に視聴者は、マウスポインタ―８０５を重ねる（クリックせず）ことにより、リワード詳細インターフェース８０６が表示され、ビデオダウンロードリワード詳細８０７、ビデオ音声ダウンロードリワード詳細８０８、エクストラリワード詳細８０９、リワード最低チップ支払い額詳細８１０が表示され、視聴者はチップ支払い前でも、その詳細内容が確認可能になる。同様に、タッチスクリーン型のブラウザ１７０の場合も、チップボタン４００に表示されるリワード表示（REWARDS）８００、ビデオダウンロードリワード表示８０１、ビデオ音声ダウンロードリワード表示８０２、エクストラリワード表示８０３、リワード最低チップ支払い額表示８０４のいずれかの表示をタッチすることにより８０５Ａ、リワード詳細インターフェース８０６が表示され、その詳細内容の確認が可能になる。
【０２６９】
２１．運営者によるデフォルト設定
ビデオホスティングウェブサイト１００の運営者は前記チップ支払いボタン４００を設定するユーザーインターフェース６００、チップ支払いに対するリワードを設定するユーザーインターフェース９００に予めデフォルト設定をおこなうことが出来る。
【０２７０】
例えば、チップ文化が定着しているアメリカ合衆国では一般的に「USD1.00」に満たないチップを支払うことは現実的に考えられず、言い換えればUSD1.00に満たないチップを支払う意味は、相手を侮辱する行為にあたる可能性がある。
【０２７１】
その為、ビデオホスティングウェブサイト１００の運営者は予め前記チップ支払いボタン４００を設定するユーザーインターフェース６００のチップ支払いボタン４００の１クリック当たりのチップ支払い金額を「USD1.00」に設定し、デフォルト設定することも可能である。
【０２７２】
なお、視聴者は随時ユーザーアカウントページ（図示せず）にログインし、チップ支払い設定ボタン（図示せず）からユーザーインターフェース６００にアクセスし、チップ支払いボタン４００のデフォルト設定を確認し、設定を変更することが可能である。
【０２７３】
同様にビデオホスティングウェブサイト１００の運営者はチップ支払いに対するリワードを設定するユーザーインターフェース９００のデフォルト設定を行うことが出来る。
【０２７４】
理由として、本発明の特徴からコンテンツ提供者の収益の柱はチップによる収益になることが考えられ、ビデオダウンロードリワード、ビデオ音声ダウンロードリワード、エクストラリワードの中で、複数のリワード（特典）を付与することにより、視聴者はこれらのサービスがビデオ視聴におけるチップ支払いに対する、リワード（特典）であることが明確に理解でき、同時に複数リワード（特典）により視聴者のチップ支払い動機も高まり、コンテンツ提供者のチップ収益アップにもつながる。
【０２７５】
その為、ビデオホスティングウェブサイト１００の運営者は例えば、チップ受取有無の選択９０２許可（Yes）、ビデオダウンロードリワード有無の選択９０４付与（Yes）、ビデオ音声ダウンロードリワード有無の選択９０５付与（Yes）をデフォルトとして設定することも可能である。なお、コンテンツ提供者は前記の通り、ビデオ「Upload」ボタン４０１をクリックし、ユーザーインターフェース９００にアクセスし、デフォルトリワード設定を確認し、設定を変更することが可能である。
【０２７６】
２２．チップ収益配分方法及びチップ支払い明細
視聴者がチップを支払った後、チップ収益モジュール２０６はコンテンツ提供者と、ビデオホスティングウェブサイト１００の運営者が取り決めた、チップ収益配分を算出生成し、コンテンツ提供者のユーザーデータベース１３１と、関連するビデオデータベース１３０を更新し保存する。
【０２７７】
例えば、コンテンツ提供者の収益配分率が６０％、ビデオホスティングウェブサイト１００の運営者の収益配分率が４０％、で取り決めがなされ、視聴者からチップ１．００ドルが支払われた場合、コンテンツ提供者は０．６０ドル、ビデオホスティングウェブサイト１００の運営者は０．４０ドルを受け取る。チップ支払いが確定後、チップ収益モジュール２０６は、コンテンツ提供者と取り決めた条件（収益配分率、支払い条件、チップ受け取り銀行口座など）により、チップ収益を分配する。
【０２７８】
チップ収益モジュール２０６は、チップ受取りユーザーインターフェース１８００、１８０１上にコンテンツ提供者がアップロードした全てのビデオに対してのチップ収益詳細（件数、日時、通貨、金額、収益配分率、収益金額、チップ支払い日、チップ支払い者）を、また、チップ支払いユーザーインターフェース１９００、１９０１に視聴者が各ビデオに支払ったチップ詳細（件数、日時、通貨、金額、支払いID）を、ビデオデータベース１３０とユーザーデータベース１３１から情報を受け表示する。
【０２７９】
上記は説明を明確にするために、コンテンツ提供者、視聴者のみのサービスとして明記している部分があるが、ユーザーＩＤ１６０を保持している、全てのユーザーへのサービスが可能である。
【０２８０】
本発明のビデオホスティングウェブサイト１００はビデオ共有サイトであるが、写真共有サイト、SNS、ブログなど、他のウェブサイトサービスへも、本発明の一部の機能（チップ支払い及びリワード機能など）の転用が可能である。
【０２８１】
なお、この発明は上記一実施例に限定されるものではなく、発明の要旨を変更しない範囲で種々変形可能である。
【符号の説明】
【０２８２】
１００…ビデオホスティングウェブサイト
１１０…フロントエンドサーバー
１２０…ビデオ提供モジュール
１２１…ビデオ取り込みモジュール
１２２…ビデオ分析モジュール
１２３…チップ支払いモジュール
１２４…広告表示モジュール
１２５…リワード提供オプション制御モジュール
１３０…ビデオデータベース
１３１…ユーザーデータベース
１３２…ビデオ音声データベース
１３３…ビデオ分析データベース
１３４…保留ビデオデータベース
１３５…エクストラリワードデータベース
１３６…リワード最低チップ金額データベース
１４０…コンテンツ提供者端末
１４１…視聴者端末
１５０…ネットワーク
１６０…ユーザーＩＤ
１７０…ブラウザ
２００…チップ支払いボタン/リンク表示モジュール
２０１…チップ支払い処理モジュール
２０２…ビデオダウンロードボタン/リンク表示モジュール
２０３…ビデオ音声モジュール
２０４…エクストラリワードモジュール
２０５…リワード最低チップ金額モジュール
２０６…チップ収益モジュール
４００…チップ支払ボタン
８００…リワード表示
８０１…ビデオダウンロードリワード表示
８０２…ビデオ音声ダウンロードリワード表示
８０３…エクストラリワード表示
８０４…リワード最低チップ支払い額表示
８０６…リワード詳細インターフェース
８０７…ビデオダウンロードリワード詳細
８０８…ビデオ音声ダウンロードリワード詳細
８０９…エクストラリワード詳細
８１０…リワード最低チップ支払い額詳細
９００…ユーザーインターフェース
９０１…ユーザーインターフェース
９０９…ダウンロードタイプ
９１０…サイト内ページ表示タイプ
９１１…外部ページリンクタイプ
９１２…ユーザーインターフェース
９１３…ＵＲＬ入力ボックス
９１４…リワード名称
９１５…リワード説明
９１６…選択
９１７…最低チップ通貨選択・金額入力ボックス
９１８…ボタン
９１９…エクストラリワード追加ボタン
９２０…追加エクストラリワードインターフェース
１０００…リワード提供ユーザーインターフェース
１００１…ビデオダウンロードボタン
１００２…ビデオ音声ダウンロードボタン
１００３…エクストラリワード提供ボタン
１５００…ユーザーインターフェース
１８００、１８０１…チップ受取りユーザーインターフェース
１９００、１９０１…ユーザーインターフェース
【要約】
【解決課題】  ビデオホスティングウェブサイト運営者、コンテンツ提供者の収益確保が可能な仕組みを提供する。
【解決手段】    無料でビデオストリーミング再生を提供するシステムであり、上記無料のビデオストリーミング再生を妨げることなく、このストリーミング再生動作に従って作動するチップ支払いモジュールを有し、このチップ支払い処理モジュールは、前記コンテンツ提供者であるユーザーが設定インターフェースで前記チップ支払いに対して２以上の特定数のリワードを付与することを設定している場合にのみコンテンツ利用者であるユーザーの設定した金額若しくはデフォルトの金額が前記コンテンツ提供者であるユーザーが設定した最低チップ金額以上であるかを検証してチップの支払いを処理し、それ以外の場合には前記コンテンツ利用者であるユーザーが入力した金額若しくはデフォルトの金額で上記最低チップ金額の検証なしにチップの支払い処理をするものである、システムが提供される。
【選択図】      図２【図１】
0006727640.tif 000002
【図２】
0006727640.tif 000003
【図３】
0006727640.tif 000004
【図４】
0006727640.tif 000005
【図５】
0006727640.tif 000006
【図６】
0006727640.tif 000007
【図７】
0006727640.tif 000008
【図８】
0006727640.tif 000009
【図８Ａ】
0006727640.tif 000010
【図８Ｂ】
0006727640.tif 000011
【図９】
0006727640.tif 000012
【図９Ａ】
0006727640.tif 000013
【図９Ｂ】
0006727640.tif 000014
【図１０】
0006727640.tif 000015
【図１１】
0006727640.tif 000016
【図１２】
0006727640.tif 000017
【図１３】
0006727640.tif 000018
【図１４】
0006727640.tif 000019
【図１５】
0006727640.tif 000020
【図１６Ａ】
0006727640.tif 000021
【図１６Ｂ】
0006727640.tif 000022
【図１６Ｃ】
0006727640.tif 000023
【図１６Ｄ】
0006727640.tif 000024
【図１６Ｅ】
0006727640.tif 000025
【図１６Ｆ】
0006727640.tif 000026
【図１７】
0006727640.tif 000027
【図１８】
0006727640.tif 000028
【図１９】
0006727640.tif 000029